(57)【要約】  ある通信（例えば、ｍｍＷ）帯にわたる指向性データ送信を利用して時間及び方向割り当てを各方向にブロードキャストする無線通信装置、システム又は方法。局が、時間及び方向割り当てを含むビーコンをその送信方向に送信する。局が、ビーム識別と受け取った割り当てとを比較して、受信方向に割り当てが存在するかどうかを判定する。局は、その意図する方向における方向（チャネル）にアクセスできるかどうかを判定するために、ビーコンの受け取り元である局との間で受信機ビームフォーミングを実行する。【選択図】      図１５
2021532696.tif 000002
【特許請求の範囲】
【請求項１】
ネットワークにおける無線通信装置であって、
（ａ）指向性通信を使用して少なくとも１つの他の無線通信回路と無線で通信するように構成された無線通信回路と、
（ｂ）無線ネットワーク上で動作するように構成された局内の、前記無線通信回路に結合されたプロセッサと、
（ｃ）前記プロセッサが実行できる命令を記憶した非一時的メモリと、
を備え、
（ｄ）前記命令は、前記プロセッサによって実行された時に、
（ｉ）前記指向性通信の各方向における時間及びリソースの割り当てを識別する時間及び方向割り当てをブロードキャストするステップを実行し、
（ｉｉ）前記方向割り当ては、（Ａ）競合ベースのアクセス期間（ＣＢＡＰ）又は通常のサービス期間（ＳＰ）チャネルアクセスでのスケジューリング割り当て及びこの割り当ての送信ビーム方向、又は（Ｂ）時分割二重（ＴＤＤ）サービス期間（ＳＰ）チャネルアクセスのためのスロット構造及びスロットスケジュール情報、並びにこの割り当ての送信ビーム方向の通信、又は（Ｃ）送信又は受信アクティビティのアクティブな割り当てがスケジュールされた方向を含む方向情報要素の通信、としてブロードキャストされるネットワーク発見信号内で送信される、
ことを特徴とする装置。
【請求項２】
前記命令は、前記プロセッサによって実行された時に、
（ａ）各方向の割り当てを記述する時分割二重（ＴＤＤ）サービス期間（ＳＰ）スロットスケジュール及び構造のリストを各方向に送信するステップと、
（ｂ）全ての時分割二重（ＴＤＤ）サービス期間（ＳＰ）スロットスケジュール及び構造要素を全方向にブロードキャストするステップと、
（ｃ）拡張指向性マルチギガビット（ＥＤＭＧ）スケジュール済み割り当て情報、並びに送信及び受信方向情報を全方向にブロードキャストするステップと、
（ｄ）方向情報要素を全方向にブロードキャストするステップと、
から成る一群のブロードキャスト機構から選択された前記時間及び方向割り当てのブロードキャストを実行する、請求項１に記載の装置。
【請求項３】
前記命令は、前記プロセッサによって実行された時に、時間及び方向割り当てを含むビーコン又はビームフォーミングフレームを前記局がその送信方向に送信するステップをさらに含み、前記ビーコン又はビームフォーミングフレームを受け取った局は、該ビーコン又はビームフォーミングフレームから前記ネットワークの送信の割り当て及び方向性に関する情報を取得することができる、
請求項１に記載の装置。
【請求項４】
前記命令は、前記プロセッサによって実行された時に、ビーコン又はビームフォーミングフレームの送信ビームＩＤを前記割り当ての送信ビームＩＤと比較して、前記割り当てが前記受信方向に存在するか否かを判定するステップをさらに含む、
請求項１に記載の装置。
【請求項５】
前記命令は、前記プロセッサによって実行された時に、その方向に干渉が発生していることを示すビーコン又はビームフォーミングフレームを受け取ったことに応答して受信機ビームフォーミングを実行するステップをさらに含む、
請求項１に記載の装置。
【請求項６】
前記受信機ビームフォーミングは、使用された前記ビーコン又は前記ビームフォーミングフレームに添付されたさらなるトレーニングフィールドを利用して実行される、
請求項５に記載の装置。
【請求項７】
前記命令は、前記プロセッサによって実行された時に、感知されたチャネル使用が意図するアクセス方向以外の方向からのものである場合に、たとえクリアチャネル評価（ＣＣＡ）を満たしていない場合でも前記局がチャネルアクセスを取得できるように、受信機ビームフォーミング情報を利用してチャネル使用方向を識別するステップをさらに含む、
請求項１に記載の装置。
【請求項８】
前記無線通信回路は、指向性通信のために構成されたミリメートル波局を含む、
請求項１に記載の装置。
【請求項９】
前記無線通信回路は、メッシュネットワーク及び非メッシュネットワークの両方で動作するように構成される、
請求項１に記載の装置。
【請求項１０】
前記無線通信回路は、第１の帯域では指向性通信を行い、第２の帯域では準全方向性通信を行うように構成される、
請求項１に記載の装置。
【請求項１１】
ネットワークにおける無線通信装置であって、
（ａ）指向性通信を使用して少なくとも１つの他の無線通信回路と無線で通信するように構成された無線通信回路と、
（ｂ）無線ネットワーク上で動作するように構成された局内の、前記無線通信回路に結合されたプロセッサと、
（ｃ）前記プロセッサが実行できる命令を記憶した非一時的メモリと、
を備え、
（ｄ）前記命令は、前記プロセッサによって実行された時に、
（ｉ）前記指向性通信の各方向における時間及びリソースの割り当てを識別する時間及び方向割り当てをブロードキャストするステップを実行し、
（ｉｉ）前記時間及び方向割り当ては、（Ａ）競合ベースのアクセス期間（ＣＢＡＰ）又は通常のサービス期間（ＳＰ）チャネルアクセスでのスケジューリング割り当て及びこの割り当ての送信ビーム方向、又は（Ｂ）時分割二重（ＴＤＤ）サービス期間（ＳＰ）チャネルアクセスのためのスロット構造及びスロットスケジュール情報、並びにこの割り当ての送信ビーム方向の通信、又は（Ｃ）送信又は受信アクティビティのアクティブな割り当てがスケジュールされた方向を含む方向情報要素の通信、としてブロードキャストされるネットワーク発見信号内で送信され、
（ｉｉｉ）時間及び方向割り当ては、（ａ）各方向の割り当てを記述する時分割二重（ＴＤＤ）サービス期間（ＳＰ）スロットスケジュール及び構造のリストを各方向に送信するステップと、（ｂ）全ての時分割二重（ＴＤＤ）サービス期間（ＳＰ）スロットスケジュール及び構造要素を全方向にブロードキャストするステップと、（ｃ）拡張指向性マルチギガビット（ＥＤＭＧ）スケジュール済み割り当て情報、並びに送信及び受信方向情報を全方向にブロードキャストするステップと、（ｄ）方向情報要素を全方向にブロードキャストするステップと、から成る一群のブロードキャスト機構から選択される、
ことを特徴とする装置。
【請求項１２】
前記命令は、前記プロセッサによって実行された時に、時間及び方向割り当てを含むビーコン又はビームフォーミングフレームを前記局がその送信方向に送信するステップをさらに含み、前記ビーコン又はビームフォーミングフレームを受け取った局は、該ビーコン又はビームフォーミングフレームから前記ネットワークの送信の割り当て及び方向性に関する情報を取得することができる、
請求項１１に記載の装置。
【請求項１３】
前記命令は、前記プロセッサによって実行された時に、ビーコン又はビームフォーミングフレームの送信ビームＩＤを前記割り当ての送信ビームＩＤと比較して、前記割り当てが前記受信方向に存在するか否かを判定するステップをさらに含む、
請求項１１に記載の装置。
【請求項１４】
前記命令は、前記プロセッサによって実行された時に、その方向に干渉が発生していることを示すビーコン又はビームフォーミングフレームを受け取ったことに応答して受信機ビームフォーミングを実行するステップをさらに含む、
請求項１１に記載の装置。
【請求項１５】
前記受信機ビームフォーミングは、使用された前記ビーコン又は前記ビームフォーミングフレームに添付されたさらなるトレーニングフィールドを利用して実行される、
請求項１４に記載の装置。
【請求項１６】
前記命令は、前記プロセッサによって実行された時に、感知されたチャネル使用が意図するアクセス方向以外の方向からのものである場合に、たとえクリアチャネル評価（ＣＣＡ）を満たしていない場合でも前記局がチャネルアクセスを取得できるように、受信機ビームフォーミング情報を利用してチャネル使用方向を識別するステップをさらに含む、
請求項１１に記載の装置。
【請求項１７】
前記無線通信回路は、指向性通信のために構成されたミリメートル波局を含む、
請求項１１に記載の装置。
【請求項１８】
前記無線通信回路は、メッシュネットワーク及び非メッシュネットワークの両方で動作するように構成される、
請求項１１に記載の装置。
【請求項１９】
前記無線通信回路は、第１の帯域では指向性通信を行い、第２の帯域では準全方向性通信を行うように構成される、
請求項１１に記載の装置。
【請求項２０】
ネットワークにおける無線通信の実行方法であって、
（ａ）指向性通信を使用して互いに無線で通信するように構成された無線通信回路、局間で無線で通信するステップと、
（ｂ）（Ａ）競合ベースのアクセス期間（ＣＢＡＰ）又は通常のサービス期間（ＳＰ）チャネルアクセスでのスケジューリング割り当て及びこの割り当ての送信ビーム方向、又は（Ｂ）時分割二重（ＴＤＤ）サービス期間（ＳＰ）チャネルアクセスのためのスロット構造及びスロットスケジュール情報、並びにこの割り当ての送信ビーム方向の通信、又は（Ｃ）送信又は受信アクティビティのアクティブな割り当てがスケジュールされた方向を含む方向情報要素の通信、としてブロードキャストされるネットワーク発見信号内で送信される前記指向性通信の各方向の時間及びリソース割り当てを識別する時間及び方向割り当てをブロードキャストするステップと、
を含むことを特徴とする方法。
【発明の詳細な説明】
【技術分野】
【０００１】
〔関連出願との相互参照〕
本出願は、２０１８年８月２０日に出願された米国仮特許出願第６２／７１９，７８２号に対する優先権及びその利益を主張するものであり、この文献はその全体が引用により本明細書に組み入れられる。
【０００２】
〔連邦政府が支援する研究又は開発に関する記述〕
該当なし
【０００３】
〔コンピュータプログラム付属書の引用による組み入れ〕
該当なし
【０００４】
〔著作権保護を受ける資料の通知〕
本特許文献中の資料の一部は、アメリカ合衆国及びその他の国の著作権法の下で著作権保護を受けることができる。著作権の権利所有者は、合衆国特許商標庁の一般公開ファイル又は記録内に表される通りに第三者が特許文献又は特許開示を複製することには異議を唱えないが、それ以外は全ての著作権を留保する。著作権所有者は、限定ではないが米国特許法施行規則§１．１４に従う権利を含め、本特許文献を秘密裏に保持しておく権利のいずれも本明細書によって放棄するものではない。
【０００５】
本開示の技術は、一般に指向性ミリメートル波（ｍｍＷ）無線ネットワーク通信に関し、具体的には、時間及び方向割り当て情報の配信に関する。
【背景技術】
【０００６】
メッシュネットワーク、並びにメッシュ及び非メッシュネットワークの混合を含む、特にミリメートル波長（ｍｍ波又はｍｍＷ）形態のミリメートル波（ｍｍＷ）無線ローカルエリアネットワークがますます重要になってきている。この高容量ニーズを受けて、ネットワークオペレータらは高密度化を達成する様々な概念を受け入れ始めた。現在のｓｕｂ−６ＧＨｚ無線技術は、高データ需要に対処するには十分でない。１つの選択肢は、ミリメートル波帯（ｍｍＷ）と呼ばれることも多い３０〜３００ＧＨｚ帯におけるさらなるスペクトルを利用することである。
【０００７】
一般に、ｍｍＷ無線ネットワーキングシステムを効率的に利用するには、これらの高周波帯のチャネル障害及び伝搬特性に正しく対応する必要がある。高自由空間経路損失、高い侵入損失、反射損失及び回折損失は、利用可能なダイバーシチを低減し、見通し外（ＮＬＯＳ）通信を制限する。さらに、ｍｍＷの短波長は、経路損失を克服して受信機における高い信号対雑音比（ＳＮＲ）を確実にするのに十分な配列利得（ａｒｒａｙ  ｇａｉｎ）を提供することができる実用的な寸法の高利得電子操作型指向性アンテナ（ｈｉｇｈ−ｇａｉｎ  ｅｌｅｃｔｒｏｎｉｃａｌｌｙ  ｓｔｅｅｒａｂｌｅ  ｄｉｒｅｃｔｉｏｎａｌ  ａｎｔｅｎｎａｓ）の使用を可能にする。ｍｍＷ帯を用いた高密度展開環境における指向性分散ネットワーク（ＤＮ）は、局（ＳＴＡ）間の信頼できる通信を実現して見通し内チャネル制約を克服するための効率的な方法となり得る。
【０００８】
新規局（ＳＴＡ又はノード）は、作動すると、参加すべきネットワーク内の発見すべき近隣ＳＴＡを探す（探索する）。ＳＴＡからネットワークへの初期アクセスプロセスは、近隣ＳＴＡをスキャンして局所的近傍における全てのアクティブなＳＴＡを発見することを含む。このプロセスは、参加すべき特定のネットワーク又はネットワークリストを新規ＳＴＡが探索することを通じて、或いは新規ＳＴＡを受け入れる予定のいずれかの既存のネットワークに参加するためのブロードキャスト要求を新規ＳＴＡが送信することによって実行することができる。
【０００９】
分散ネットワーク（ＤＮ）に接続するＳＴＡは、近隣ＳＴＡを発見して、ゲートウェイ／ポータルＤＮ  ＳＴＡに到達するための最良の方法、及びこれらの各近隣ＳＴＡの能力を判断する必要がある。新規ＳＴＡは、候補となる近隣ＳＴＡの全てのチャネルを特定の期間にわたって検査する。この特定の時間後にアクティブなＳＴＡが検出されなければ、新規ＳＴＡは次のチャネルの検査に移行する。ＳＴＡが検出されると、新規ＳＴＡは、自機の物理（ＰＨＹ）層（例えば、ＯＳＩモデル）を調節領域（ＩＥＥＥ、ＦＣＣ、ＥＴＳＩ、ＭＫＫ等）における動作のために構成するのに十分な情報を収集する。ｍｍ波通信では、指向性送信に起因してこのタスクがさらに困難である。このプロセスにおける課題は、（ａ）周辺ＳＴＡ  ＩＤの知識、（ｂ）ビームフォーミングにとっての（単複の）最良送信パターンの知識、（ｃ）衝突及びデフネスに起因するチャネルアクセス問題、並びに（ｄ）閉塞及び反射に起因するチャネル障害、として要約することができる。ｍｍ波Ｄ２Ｄ及びＤＮ技術の普及を可能にするには、上記の一部又は全部を克服する近隣発見方法を設計することが何よりも重要である。
【発明の概要】
【発明が解決しようとする課題】
【００１０】
ブロードキャストモードで動作するネットワークのＤＮアドレスを発見するためのほとんどの既存の技術は、指向性無線通信を伴うネットワークを目的としていない。また、指向性無線ネットワーク通信を利用するこれらの技術は、ビーコン信号の生成に関するオーバーヘッド要求が非常に高いことが多い。さらに、これらの技術は、発見の実行に伴うオーバーヘッド及びレイテンシを低減するのに十分な機構を欠いている。
【００１１】
既存のｍｍ波通信システムは、送信機（Ｔｘ）と受信機（Ｒｘ）との間の十分なリンクバジェットを得るために指向性通信に依拠する。局は、チャネルにアクセスするために、最初にリスニングを行って、媒体が占められているか、それとも空いているかをチェックする。通常、このリスニング段階は準全方向アンテナを使用して行われ、多くの場合はこれによって送信又は受信方向が実際の指向性信号の影響を受けることはないが、チャネルアクセスが妨げられる。
【００１２】
従って、ｍｍ波指向性無線ネットワーク内でより効率的なチャネルアクセスを提供するための強化された機構に対するニーズが存在する。本開示は、このニーズを満たすとともに、これまでの技術を凌駕するさらなる利点をもたらす。
【課題を解決するための手段】
【００１３】
干渉に起因してチャネルアクセスが妨げられる問題を解決するために、説明するような多くの異なる方法で割り当てをブロードキャストすることによって局（ＳＴＡ）がより効率的な時間及び方向割り当てを実行するｍｍＷ  ＷＬＡＮプロトコルについて説明する。
【００１４】
この手法では、準全方向アンテナなどを使用してチャネルをリスンした際にチャネルが遮断されていることを発見した局が、多くの場合は準全方向アンテナを通じて感知された信号によって実際の送信及び／又は受信方向が影響を受けていないことを示す追加情報を取得し続けることができる。さらに、本開示は、チャネルにアクセスしようと試みている局に感知信号が影響するかどうか、並びにチャネルが占められている方向及び空いている方向を判定し、近隣局がネットワーク性能を落とすことなく共存できるように干渉アンテナ方向に使用中としてマーキングするように構成される。
【００１５】
これらの問題への対処において考えられる他の解決策は、指向性送信の場合にクリアチャネル評価閾値（ｃｌｅａｒ  ｃｈａｎｎｅｌ  ａｓｓｅｓｓｍｅｎｔ  ｔｈｒｅｓｈｏｌｄ）を下げることが挙げられる。しかしながら、このような手法は、他のノードに比べて高利得のノードに便宜を図りがちであり、依然としてチャネル使用を最適化するものではないと思われる。明示的指向性チャネル感知（Ｅｘｐｌｉｃｉｔ  ｄｉｒｅｃｔｉｏｎａｌ  ｃｈａｎｎｅｌ  ｓｅｎｓｉｎｇ）を実行することもできるが、かなりのオーバーヘッドが発生する。
【００１６】
開示する装置／システム／方法は、指向性ＷＬＡＮネットワークにおける割り当て及び方向性情報（例えば、送信及び受信）をブロードキャストするように構成される。このブロードキャストは、ＷＬＡＮネットワークを知らせるビーコンフレームに割り当て情報及び方向性情報を添付することを通じて行われる。その後、このビーコンを受け取ったいずれかのＳＴＡが、チャネルが占められている時間、チャネルが空いている時間、占められている空間方向、及び占められていない空間方向を判定することができる。
【００１７】
開示する無線指向性システムは、例えば、無線ＬＡＮ（ＷＬＡＮ）、無線パーソナルエリアネットワーク（ＷＰＡＮ）及び屋外無線通信に適用できる装置間（Ｄ２Ｄ）、ピアツーピア（Ｐ２Ｐ）、無線及びメッシュネットワーキング用途などの幅広いネットワーク用途に適用可能である。例えば、対象用途としては、限定するわけではないが、Ｗｉ−Ｆｉ、ＷｉＧｉｇ及びその他の無線ネットワーク、モノのインターネット（ＩｏＴ）用途、データのバックホール及びフロントホール、屋内及び屋外配信ネットワーク、メッシュネットワーク、Ｄ２Ｄ通信を伴う次世代セルラーネットワーク、並びに当業者であれば容易に認識する他の数多くの用途が挙げられる。
【００１８】
本明細書の以下の部分では、本明細書で説明する技術のさらなる態様が明らかになり、この詳細な説明は、本技術の好ましい実施形態を制限することなく完全に開示するためのものである。
【００１９】
本明細書で説明する技術は、例示のみを目的とする以下の図面を参照することによって十分に理解されるであろう。
【図面の簡単な説明】
【００２０】
【図１】ＩＥＥＥ  ８０２．１１無線ローカルエリアネットワーク（ＷＬＡＮ）において行われるアクティブスキャンのタイミング図である。
【図２】ＤＮ局と非ＤＮ局との組み合わせを示す分散ネットワーク（ＤＮ）の局（ＳＴＡ）図である。
【図３】ＩＥＥＥ  ８０２．１１  ＷＬＡＮのＤＮ識別要素を示すデータフィールド図である。
【図４】ＩＥＥＥ  ８０２．１１  ＷＬＡＮのＤＮ構成要素を示すデータフィールド図である。
【図５】ＩＥＥＥ  ８０２．１１ａｄプロトコルでのアンテナセクタスイーピング（ＳＳＷ）の概略図である。
【図６】ＩＥＥＥ  ８０２．１１ａｄプロトコルでのセクタレベルスイーピング（ＳＬＳ）のシグナリングを示すシグナリング図である。
【図７】ＩＥＥＥ  ８０２．１１ａｄのセクタスイープ（ＳＳＷ）フレーム要素を示すデータフィールド図である。
【図８】ＩＥＥＥ  ８０２．１１ａｄのＳＳＷフレーム要素内のＳＳＷフィールドを示すデータフィールド図である。
【図９Ａ】ＩＥＥＥ  ８０２．１１ａｄに利用される、ＩＳＳの一部として送信される時に示されるＳＳＷフィードバックフィールドを示すデータフィールド図である。
【図９Ｂ】ＩＥＥＥ  ８０２．１１ａｄに利用される、ＩＳＳの一部として送信されない時に示されるＳＳＷフィードバックフィールドを示すデータフィールド図である。
【図１０】本開示の実施形態に従って利用される無線ｍｍＷ通信局ハードウェアのブロック図である。
【図１１】本開示の実施形態に従って利用される図１０の局ハードウェアのｍｍＷビームパターン図である。
【図１２】本開示の実施形態による、発見帯通信アンテナ（すなわち、ｓｕｂ−６ＧＨｚ）のビームパターン図である。
【図１３Ａ】本開示の実施形態による、割り当て及び方向情報を含むＷＬＡＮフレーム例を示すデータフィールド図である。
【図１３Ｂ】本開示の実施形態による、割り当て及び方向情報を含むＷＬＡＮフレーム例を示すデータフィールド図である。
【図１４】本開示の実施形態による、割り当てリソースを示すＷＬＡＮフレームを示すデータフィールド図である。
【図１５】本開示の実施形態による、割り当てリソースを通じて近隣局と通信する局のビームパターン図である。
【図１６】本開示の実施形態による、拡張ＤＭＧ（ＥＤＭＧ）スケジューリングのデータフィールド図である。
【図１７】本開示の実施形態による、チャネル割り当てフィールドのデータフィールド図である。
【図１８】本開示の実施形態による、受信及び送信方向サブフィールドのデータフィールド図である。
【図１９】本開示の実施形態による、ＴＤＤスロットスケジュール要素のデータフィールド図である。
【図２０】本開示の実施形態による、スロットスケジュール制御フィールドのデータフィールド図である。
【図２１】本開示の実施形態による、方向情報要素のデータフィールド図である。
【図２２】本開示の実施形態による、別の方向情報要素のデータフィールド図である。
【図２３】本開示の実施形態による、時分割二重（ＴＤＤ）方向及び割り当て情報を含むビーコン送信のフロー図である。
【図２４Ａ】本開示の実施形態による、異なる方向に送信されるビーコンフレームのデータフィールド図である。
【図２４Ｂ】本開示の実施形態による、異なる方向に送信されるビーコンフレームのデータフィールド図である。
【図２５】本開示の実施形態による、時分割二重（ＴＤＤ）方向及び割り当て情報を含むビーコン送信のフロー図である。
【図２６Ａ】本開示の実施形態による、異なるビーコンフレーム送信のデータフィールド図である。
【図２６Ｂ】本開示の実施形態による、異なるビーコンフレーム送信のデータフィールド図である。
【図２７】本開示の実施形態による、方向情報要素を含むビーコン送信のフロー図である。
【図２８】本開示の実施形態による、局が割り当て及び方向情報を含むビーコンを別の局から受け取るフロー図である。
【図２９Ａ】本開示の実施形態による、干渉を検出して処理する局間の通信プロセス図である。
【図２９Ｂ】本開示の実施形態による、干渉を検出して処理する局間の通信プロセス図である。
【図２９Ｃ】本開示の実施形態による、干渉を検出して処理する局間の通信プロセス図である。
【図３０Ａ】本開示の実施形態に従って実行される、クリアチャネル評価（ＣＣＡ）閾値を上回るチャネルにアクセスする局の通信プロセス図である。
【図３０Ｂ】本開示の実施形態に従って実行される、クリアチャネル評価（ＣＣＡ）閾値を上回るチャネルにアクセスする局の通信プロセス図である。
【図３０Ｃ】本開示の実施形態に従って実行される、クリアチャネル評価（ＣＣＡ）閾値を上回るチャネルにアクセスする局の通信プロセス図である。
【図３０Ｄ】本開示の実施形態に従って実行される、クリアチャネル評価（ＣＣＡ）閾値を上回るチャネルにアクセスする局の通信プロセス図である。
【発明を実施するための形態】
【００２１】
以下の用語は、本開示において使用する際には一般に後述する意味を有する。
【００２２】
Ａ−ＢＦＴ：アソシエーション−ビームフォーミングトレーニング期間：ネットワークに参加する新規局（ＳＴＡ）のアソシエーション及びビームフォーム（ＢＦ）トレーニングに使用される、ビーコンで通知される期間。
【００２３】
ＡＰ：アクセスポイント：１つの局（ＳＴＡ）を含み、関連するＳＴＡの無線媒体（ＷＭ）を通じて配信サービスへのアクセスを提供するエンティティ。
【００２４】
ビームフォーミング（ＢＦ）：指向性アンテナシステム又はアレイからの、全方向又は準全方向アンテナを使用しない、対象の受信機における受信信号電力又は信号対雑音比（ＳＮＲ）を改善する情報を決定するための指向性送信であり、局は、この送信に基づいて、時間及び割り当て情報を相関させる情報を取得することができる。
【００２５】
ＢＳＳ：ベーシックサービスセット：ネットワーク内のＡＰとの同期に成功した一連の局（ＳＴＡ）。
【００２６】
ＢＩ：ビーコン間隔は、ビーコン送信時間の合間の時間を表す周期的スーパーフレーム期間（ｃｙｃｌｉｃ  ｓｕｐｅｒｆｒａｍｅ  ｐｅｒｉｏｄ）である。
【００２７】
ＢＲＰ：ＢＦ精緻化プロトコルは、受信機トレーニングを可能にし、指向性通信を最適化（最良を達成）するために送信機側及び受信機側を繰り返しトレーニングするＢＦプロトコルである。
【００２８】
ＢＳＳ：ベーシックサービスセットは、実際にはＳＴＡ同士の通信を可能にする無線媒体に接続するＳＴＡの組であるＢＳＳの周囲に構築されるＩＥＥＥ８０２．１１  ＷＬＡＮアーキテクチャのコンポーネントである。
【００２９】
ＢＴＩ：ビーコン送信間隔は、連続するビーコン送信間の間隔である。
【００３０】
ＣＢＡＰ：競合ベースのアクセス期間は、競合ベースの拡張分散チャネルアクセス（ｅｎｈａｎｃｅｄ  ｄｉｓｔｒｉｂｕｔｅｄ  ｃｈａｎｎｅｌ  ａｃｃｅｓｓ：ＥＤＣＡ）を利用する指向性マルチギガビット（ＤＭＧ）ＢＳＳのデータ転送間隔（ＤＴＩ）内の期間である。
【００３１】
ＣＣＡ：クリアチャネル評価は、ＩＥＥＥ  ８０２．１１において規定される無線キャリア感知機構である。
【００３２】
ＤＭＧ：指向性マルチギガビットは、ＩＥＥＥ  ８０２に記載されている高スループット無線通信の形態である。
【００３３】
ＥＤＭＧ：拡張指向性マルチギガビット。
【００３４】
ＤＴＩ：データ転送間隔は、完全なＢＦトレーニングに続いて実際のデータ転送を行うことができる期間である。ＤＴＩは、１又は２以上のサービス期間（ＳＰ）及び競合ベースのアクセス期間（ＣＢＡＰ）を含むことができる。
【００３５】
ＬＯＳ：見通し線：送信機及び受信機が表面上互いの視界内に存在する、反射信号の通信の結果ではない通信。逆の状態は、局が互いにＬＯＳ内に存在しない見通し外を表すＮＬＯＳである。
【００３６】
ＭＡＣアドレス：媒体アクセス制御（ＭＡＣ）アドレス。
【００３７】
ＭＢＳＳ：メッシュベーシックサービスセットは、分散ネットワーク（ＤＮ）局（ＤＮ  ＳＴＡ）の自己完結型ネットワーク（ｓｅｌｆ−ｃｏｎｔａｉｎｅｄ  ｎｅｔｗｏｒｋ）を形成するベーシックサービスセット（ＢＳＳ）であり、配信システム（ＤＳ）として使用することができる。
【００３８】
ＭＣＳ：変調符号化スキーム：物理（ＰＨＹ）層（例えば、ＯＳＩモデル）データレートに換算できる指数を定義する。
【００３９】
ＭＳＴＡ：メッシュ局（ＭＳＴＡ）は、メッシュ施設を実装する局（ＳＴＡ）であり、メッシュＢＳＳ内での動作時には他のＭＳＴＡに配信サービスを提供することができる。
【００４０】
ＤＮ  ＳＴＡ：分散ネットワーク（ＤＮ）局（ＤＮ  ＳＴＡ）は、ＤＮ施設を実装する局（ＳＴＡ）である。ＤＮ  ＢＳＳ内で動作するＤＮ  ＳＴＡは、他のＤＮ  ＳＴＡに配信サービスを提供することができる。
【００４１】
全方向性：無指向性アンテナを利用する送信モード。
【００４２】
準全方向性：最も広いビーム幅を達成できる指向性マルチギガビット（ＤＭＧ）アンテナを利用する通信モード。
【００４３】
受信セクタスイープ（ＲＸＳＳ）：連続する受信間にスイープが行われる、異なるセクタを介した（にわたる）セクタスイープ（ＳＳＷ）フレームの受信。
【００４４】
ＲＳＳＩ：（ｄＢｍ単位の）受信信号強度インジケータ。
【００４５】
ＳＬＳ：セクタレベルスイープ段階は、ＳＳＷフィードバック及びＳＳＷ  ＡＣＫなどを使用してイニシエータをトレーニングするためのイニシエータセクタスイープ（ＩＳＳ）、レスポンダリンクをトレーニングするためのレスポンダセクタスイープ（ＲＳＳ）といった４つほどのコンポーネントを含むことができるＢＦトレーニング段階である。
【００４６】
ＳＮＲ：ｄＢ単位の受信信号対雑音比。
【００４７】
ＳＰ：サービス期間は、アクセスポイント（ＡＰ）によってスケジュールされる期間であり、スケジュールされたＳＰは一定の時間間隔で開始する。
【００４８】
スペクトル効率：特定の通信システムにおいて所与の帯域幅を通じて送信できる情報率であり、通常はビット／秒又はＨｚで表される。
【００４９】
ＳＳＩＤ：サービスセット識別子は、ＷＬＡＮネットワークに割り当てられた名称である。
【００５０】
ＳＴＡ：局は、無線媒体（ＷＭ）への媒体アクセス制御（ＭＡＣ）及び物理層（ＰＨＹ）インターフェイスの個別にアドレス指定可能なインスタンスである論理エンティティである。
【００５１】
スイープ：送信機又は受信機のアンテナ構成が送信間で変更される、短期ビームフォーミングインターフレーム（ＳＢＩＦＳ）間隔によって分離された一連の送信。
【００５２】
ＳＳＷ：セクタスイープは、異なるセクタ（方向）で送信を行って、受信信号及び強度などに関する情報を収集する動作である。
【００５３】
ＴＤＤ：時分割二重は、異なるアップリンク及びダウンリンクデータ送信フローに合わせて調整するために同じ周波数帯で異なるタイムスロットを割り当てることによってアップリンクがダウンリンクから分離される通信リンクの二重化を可能にする。
【００５４】
ＴＤＤ  ＳＰ：時分割二重サービス期間は、ＴＤＤチャネルアクセスを含むサービス期間であり、一連のＴＤＤスロットをさらに含む一連のＴＤＤ間隔を含む。
【００５５】
送信セクタスイープ（ＴＸＳＳ）：連続する送信間にスイープが行われる、異なるセクタを介した複数のセクタスイープ（ＳＳＷ）又は指向性マルチギガビット（ＤＭＧ）ビーコンフレームの送信。
【００５６】
１．既存の指向性無線ネットワーク技術
１．１．ＷＬＡＮシステム
８０２．１１などのＷＬＡＮシステムでは、パッシブスキャン及びアクティブスキャンという２つのスキャンモードが規定される。以下は、パッシブスキャンの特性である。（ａ）ネットワークに参加しようと試みる新規局（ＳＴＡ）は、各チャネルを検査し、最大でＭａｘＣｈａｎｎｅｌＴｉｍｅにわたってビーコンフレームを待つ。（ｂ）ビーコンが受け取られなかった場合、新規ＳＴＡは別のチャネルに移行し、従ってスキャンモードで信号を送信しないのでバッテリ電力を節約する。ＳＴＡは、ビーコンを見逃さないように各チャネルにおいて十分な時間にわたって待つべきである。ビーコンが失われた場合、ＳＴＡはさらなるビーコン送信間隔（ＢＴＩ）にわたって待つべきである。
【００５７】
以下は、アクティブスキャンの特性である。（ａ）ローカルネットワークに参加したいと望む新規ＳＴＡは、以下に従って各チャネル上でプローブ要求フレームを送信する。（ａ）（１）新規ＳＴＡは、あるチャネルに移行して、着信フレーム、又はプローブ遅延タイマの満了を待つ。（ａ）（２）タイマの満了後にフレームが検出されなかった場合、このチャネルは未使用とみなされる。（ａ）（３）チャネルが未使用である場合、ＳＴＡは新たなチャネルに移行する。（ａ）（４）チャネルが使用中である場合、ＳＴＡは、通常のＤＣＦを使用して媒体にアクセスしてプローブ要求フレームを送信する。（ａ）（５）チャネルがそれまでに使用中でなかった場合、ＳＴＡは、プローブ要求に対する応答を受け取るために所望の期間（例えば、Ｍｉｎｉｍｕｍ  Ｃｈａｎｎｅｌ  Ｔｉｍｅ）にわたって待つ。チャネルが使用中であってプローブ応答が受け取られた場合、ＳＴＡは、さらなる時間（例えば、Ｍａｘｉｍｕｍ  Ｃｈａｎｎｅｌ  Ｔｉｍｅ）にわたって待つ。
【００５８】
（ｂ）プローブ要求は、一意のサービスセット識別子（ＳＳＩＤ）、ＳＳＩＤのリスト又はブロードキャストＳＳＩＤを使用することができる。（ｃ）周波数帯によっては、アクティブスキャンが禁止されていることもある。（ｄ）アクティブスキャンは、特に多くの新規ＳＴＡが同時に到着してネットワークにアクセスしようと試みる場合に干渉及び衝突の原因となり得る。（ｅ）アクティブスキャンは、パッシブスキャンの使用に比べてＳＴＡがビーコンを待つ必要がないので、ＳＴＡがネットワークにアクセスするための高速な（遅延が少ない）方法である。（ｆ）インフラストラクチャベーシックサービスセット（ＢＳＳ）及びＩＢＳＳでは、少なくとも１つのＳＴＡがプローブを受け取って応答しようと目を光らせている。（ｇ）分散ネットワーク（ＤＮ）ベーシックサービスセット（ＭＢＳＳ）内のＳＴＡは、いずれかの時点で応答に目を光らせていないこともある。（ｈ）無線測定キャンペーンがアクティブの時には、ＳＴＡがプローブ要求に応答しないこともある。（ｉ）プローブ応答の衝突が生じることもある。ＳＴＡは、最後のビーコンを送信したＳＴＡが最初のプローブ応答を送信できるようにすることによってプローブ応答の送信を協調させることもできる。他のＳＴＡは、衝突を回避するためにバックオフ時間及び通常の分散制御機構（ＤＣＦ）チャネルアクセスに従ってこれらを使用することができる。
【００５９】
図１に、プローブを送信するスキャン局と、プローブを受け取ってこれに応答する２つの応答局とを示す、ＩＥＥＥ  ８０２．１１  ＷＬＡＮにおけるアクティブスキャンの使用を示す。この図には、最小プローブ応答タイミング及び最大プローブ応答タイミングも示す。図示の値Ｇ１は、確認応答の送信前のフレーム間間隔であるＳＩＦＳに設定されるのに対し、値Ｇ３は、バックオフ期間の完了後であってＲＴＳパッケージの送信前に送信側が待機する時間遅延を表すＤＣＦフレーム間間隔であるＤＩＦＳである。
【００６０】
１．２．ＩＥＥＥ  ８０２．１１ｓ  分散ネットワーク（ＤＮ）ＷＬＡＮ
ＩＥＥＥ  ８０２．１１ｓ（以下、８０２．１１ｓ）は、８０２．１１標準に無線メッシュネットワーキング能力を加えた標準である。８０２．１１ｓでは、新たなタイプの無線局と、メッシュネットワーク発見、ピアツーピア接続の確立及びメッシュネットワークを通じたデータのルーティングを可能にする新たなシグナリングとが規定される。
【００６１】
図２には、非メッシュＳＴＡの混合がメッシュＳＴＡ／ＡＰに接続し（実線）、メッシュＳＴＡがメッシュポータルを含む他のメッシュＳＴＡに接続する（点線）メッシュネットワークの一例を示す。メッシュネットワーク内のノードは、８０２．１１標準で規定されている同じスキャン技術を近隣発見に使用する。メッシュネットワークの識別は、ビーコン及びプローブ応答フレームに含まれるメッシュＩＤ要素によって行われる。１つのメッシュネットワークでは、全てのメッシュＳＴＡが同じメッシュプロファイルを使用する。メッシュプロファイルは、メッシュプロファイル内の全てのパラメータが一致する場合に同じものとみなされる。メッシュプロファイルは、その近隣のメッシュＳＴＡがスキャンを通じてメッシュプロファイルを取得できるようにビーコン及びプローブ応答フレームに含まれる。
【００６２】
メッシュＳＴＡがスキャンプロセスを通じて近隣メッシュＳＴＡを発見すると、発見されたメッシュＳＴＡはピアメッシュＳＴＡ候補とみなされる。このメッシュＳＴＡは、発見されたメッシュＳＴＡがメンバであるメッシュネットワークのメンバになって近隣メッシュＳＴＡとのメッシュピアリングを確立することができる。発見された近隣メッシュＳＴＡは、受信ビーコンと同じメッシュプロファイルを使用している場合、或いはプローブ応答フレームがその近隣メッシュＳＴＡを示す場合、ピアメッシュＳＴＡ候補とみなすことができる。
【００６３】
メッシュＳＴＡは、（ａ）近隣ＭＡＣアドレス、（ｂ）動作チャネル番号、及び（ｃ）最近観察されたリンク状況及び品質情報を含む発見された近隣情報をメッシュ近隣テーブル内に維持しようと試みる。近隣が検出されなかった場合、メッシュＳＴＡは、その最優先プロファイルのメッシュＩＤを使用してアクティブな状態を保つ。近隣メッシュＳＴＡを発見するための上述したシグナリングは全てブロードキャストモードで実行される。８０２．１１ｓは、指向性無線通信を伴うネットワークを対象としたものではないと理解されたい。
【００６４】
図３に、メッシュネットワークの識別を広告するために使用されるメッシュ識別要素（メッシュＩＤ要素）を示す。メッシュＩＤは、メッシュネットワークに参加する用意がある新規ＳＴＡによってプローブ要求で送信され、また既存のメッシュネットワークＳＴＡによってビーコン及び信号で送信される。長さ０のメッシュＩＤフィールドは、プローブ要求フレーム内で使用されるワイルドカードメッシュＩＤを示す。ワイルドカードメッシュＩＤは、非メッシュＳＴＡがメッシュネットワークに参加するのを防ぐ特定のＩＤである。なお、メッシュ局は、非メッシュ局よりも多くの特徴を有するＳＴＡであり、例えばメッシュネットワークは、他のいくつかのモジュールに加えてメッシュ機能を提供するモジュールとして動作するＳＴＡを有するようなものであると認識されたい。ＳＴＡがこのメッシュモジュールを有していない場合には、メッシュネットワークへの接続を許可すべきではない。
【００６５】
図４に、メッシュＳＴＡによって送信されるビーコンフレーム及びプローブ応答フレームに含まれる、メッシュサービスの広告に使用されるメッシュ構成要素を示す。メッシュ構成要素の主要内容は、（ａ）経路選択プロトコル識別子、（ｂ）経路選択メトリック識別子、（ｃ）輻輳制御モード識別子、（ｄ）同期方法識別子、及び（ｅ）認証プロトコル識別子である。メッシュ構成要素の内容は、メッシュＩＤと共にメッシュプロファイルを形成する。
【００６６】
８０２．１１ａ標準は、メッシュ発見、メッシュピアリング管理、メッシュセキュリティ、メッシュビーコン送信及び同期、メッシュ調節機能、メッシュ電力管理、メッシュチャネルスイッチング、３アドレス、４アドレス、及び拡張アドレスフレームフォーマット、メッシュ経路選択及び転送、外部ネットワークとの相互作用、メッシュ間輻輳制御、並びにメッシュＢＳＳにおける緊急サービスサポートを含む多くの手順及びメッシュ機能を定める。
【００６７】
１．３．ＷＬＡＮにおけるミリメートル波
一般に、ミリメートル波帯におけるＷＬＡＮでは、高い経路損失を考慮して通信にとって十分なＳＮＲを提供するために、送信、受信、又はこれらの両方に指向性アンテナを使用する必要がある。送信又は受信において指向性アンテナを使用すると、スキャンプロセスも指向性になる。ＩＥＥＥ  ８０２．１１ａｄ及び新たな標準８０２．１１ａｙでは、ミリメートル波帯を介した指向性送受信のためのスキャン及びビームフォーミング手順が規定されている。
【００６８】
１．４．ＩＥＥＥ  ８０２．１１ａｄのスキャン及びＢＦトレーニング
ｍｍ波ＷＬＡＮの最先端システムの例は、８０２．１１ａｄ標準である。
【００６９】
１．４．１．スキャン
新規ＳＴＡは、特定のＳＳＩＤ、ＳＳＩＤリスト、又は全ての発見されたＳＳＩＤをスキャンするためにパッシブ又はアクティブスキャンモードで動作する。パッシブなスキャンを行うには、ＳＴＡが、ＳＳＩＤを含むＤＭＧビーコンフレームをスキャンする。アクティブなスキャンを行うには、ＤＭＧ  ＳＴＡが、所望のＳＳＩＤ又は１又は２以上のＳＳＩＤリスト要素を含むプローブ要求フレームを送信する。ＤＭＧ  ＳＴＡは、プローブ要求フレームの送信前に、ＤＭＧビーコンフレームの送信又はビームフォーミングトレーニングの実行を行うことが必要な場合もある。
【００７０】
１．４．２．ＢＦトレーニング
ＢＦトレーニングは、セクタスイープを使用するＢＦトレーニングフレーム送信の双方向シーケンスであり、各ＳＴＡが送信及び受信の両方に適したアンテナシステム設定を決定するために必要なシグナリングを行う。
【００７１】
８０２．１１ａｄのＢＦトレーニングプロセスは、３段階で実行することができる。（１）セクタレベルスイープ段階を実行することにより、リンク取得のために指向性送信及び低利得（準全方向性）受信を実行する。（２）複合送受信（ｃｏｍｂｉｎｅｄ  ｔｒａｎｓｍｉｔ  ａｎｄ  ｒｅｃｅｉｖｅ）のために、受信利得及び最終調整を加える精緻化段階を実行する。（３）その後、データ送信中にトラッキングを実行して、チャネル変更に合わせた調整を行う。
【００７２】
１．４．３．８０２．１１ａｄのＳＬＳ  ＢＦトレーニング段階
このＳＬＳ  ＢＦトレーニング段階は、８０２．１１ａｄ標準のセクタレベルスイープ（ＳＬＳ）必須段階に焦点を置く。ＳＬＳ中には、一対のＳＴＡが、異なるアンテナセクタを介して一連のセクタスイープ（ＳＳＷ）フレーム（又は、ＰＣＰ／ＡＰにおける送信セクタトレーニングの場合にはビーコン）を交換して、最も高い信号品質を提供するセクタを発見する。最初に送信を行う局はイニシエータと呼ばれ、２番目に行う局はレスポンダと呼ばれる。
【００７３】
送信セクタスイープ（ＴＸＳＳ）中には、異なるセクタ上でＳＳＷフレームが送信され、対を成すＳＴＡ（レスポンダ）が準全方向性パターンを利用してこれを受け取る。レスポンダは、最良のリンク品質（例えば、ＳＮＲ）を提供するイニシエータのアンテナアレイセクタを決定する。
【００７４】
図５に、８０２．１１ａｄでのセクタスイープ（ＳＳＷ）の概念を示す。この図には、ＳＴＡ１がＳＬＳのイニシエータであってＳＴＡ２がレスポンダである例を示す。ＳＴＡ１は、送信アンテナパターン微細セクタ（ｔｒａｎｓｍｉｔ  ａｎｔｅｎｎａ  ｐａｔｔｅｒｎ  ｆｉｎｅ  ｓｅｃｔｏｒｓ）を全てスイープし、ＳＴＡ２は、準全方向性パターンで受け取る。ＳＴＡ２は、ＳＴＡ１から受け取った最良のセクタをＳＴＡ２にフィードバックする。
【００７５】
図６に、８０２．１１ａｄ仕様で実装されるセクタレベルスイープ（ＳＬＳ）プロトコルのシグナリングを示す。送信セクタスイープの各フレームは、セクタカウントダウン指示（ＣＤＯＷＮ）、セクタＩＤ及びアンテナＩＤに関する情報を含む。最良のセクタＩＤ及びアンテナＩＤ情報は、セクタスイープフィードバック及びセクタスイープＡＣＫフレームと共にフィードバックされる。
【００７６】
図７に、以下で概説するフィールドを含む、８０２．１１ａｄ標準で利用されるセクタスイープフレーム（ＳＳＷフレーム）のフィールドを示す。Ｄｕｒａｔｉｏｎ（継続時間）フィールドは、ＳＳＷフレーム送信の最後までの時間に設定される。ＲＡフィールドは、セクタスイープの所定の受信者であるＳＴＡのＭＡＣアドレスを含む。ＴＡフィールドは、セクタスイープフレームの送信側ＳＴＡのＭＡＣアドレスを含む。
【００７７】
図８に、ＳＳＷフィールド内のデータ要素を示す。ＳＳＷフィールドで搬送される主要情報は以下の通りである。Ｄｉｒｅｃｔｉｏｎ（方向）フィールドは、０に設定されると、ビームフォーミングイニシエータによってフレームが送信されることを示し、１に設定されると、ビームフォーミングレスポンダによってフレームが送信されることを示す。ＣＤＯＷＮフィールドは、ＴＸＳＳの最後までの残りのＤＭＧビーコンフレーム送信の数を示すダウンカウンタである。セクタＩＤフィールドは、このＳＳＷフィールドを含むフレームを送信するセクタ番号を示すように設定される。ＤＭＧ  Ａｎｔｅｎｎａ（アンテナ）ＩＤフィールドは、送信機がこの送信のために現在どのＤＭＧアンテナを使用しているかを示す。ＲＸＳＳ  Ｌｅｎｇｔｈ（長さ）フィールドは、ＣＢＡＰで送信された時にのみ有効であり、そうでない場合には保留される。このＲＸＳＳ  Ｌｅｎｇｔｈフィールドは、送信側ＳＴＡによって要求された受信セクタスイープの長さを指定し、ＳＳＷフレームの単位で定義される。ＳＳＷ  Ｆｅｅｄｂａｃｋ（ＳＳＷフィードバック）フィールドについては以下で定義する。
【００７８】
図９Ａ及び図９Ｂに、ＳＳＷフィードバックフィールドを示す。図９Ａに示すフォーマットは、内部下位層サービス（ＩＳＳ）の一部として送信される時に利用され、図９Ｂのフォーマットは、ＩＳＳの一部として送信されない時に使用される。Ｔｏｔａｌ  Ｓｅｃｔｏｒｓ  ｉｎ  ｔｈｅ  ＩＳＳ（ＩＳＳ内総セクタ）フィールドは、イニシエータがＩＳＳにおいて使用する総セクタ数を示す。Ｎｕｍｂｅｒ  ｏｆ  Ｒｘ  ＤＭＧ  Ａｎｔｅｎｎａｓ（Ｒｘ  ＤＭＧアンテナ数）サブフィールドは、イニシエータが次の受信セクタスイープ（ＲＳＳ）中に使用する受信ＤＭＧアンテナの数を示す。Ｓｅｃｔｏｒ  Ｓｅｌｅｃｔ（セクタ選択）フィールドは、直前のセクタスイープにおいて最良の品質で受け取られたフレーム内のＳＳＷフィールドのｖａｌｕｅ  ｏｆ  Ｓｅｃｔｏｒ  ＩＤ（セクタＩＤ値）サブフィールドを含む。ＤＭＧ  Ａｎｔｅｎｎａ  Ｓｅｌｅｃｔ（ＤＭＧアンテナ選択）フィールドは、直前のセクタスイープにおいて最良の品質で受け取られたフレーム内のＳＳＷフィールドのＤＭＧ  Ａｎｔｅｎｎａ  ＩＤ（ＤＭＧアンテナＩＤ）サブフィールドの値を示す。ＳＮＲレポートフィールドは、直前のセクタスイープ中に最良の品質で受け取られた、セクタ選択フィールドに示されるフレームのＳＮＲの値に設定される。Ｐｏｌｌ  Ｒｅｑｕｉｒｅｄ（ポール要求）フィールドは、非ＰＣＰ／非ＡＰ  ＳＴＡによって１に設定されると、ＰＣＰ／ＡＰに非ＰＣＰ／非ＡＰとの通信を開始するように要求することを示す。Ｐｏｌｌ  Ｒｅｑｕｉｒｅｄフィールドは、０に設定されると、ＰＣＰ／ＡＰが通信を開始するかどうかに関する設定を非ＰＣＰ／非ＡＰが有していないことを示す。
【００７９】
２．局（ＳＴＡ）ハードウェア構成
図１０に、ＳＴＡにセンサ及びアクチュエータなどへの外部Ｉ／ＯをもたらすＩ／Ｏ経路１２に結合されたバス１４にコンピュータプロセッサ（ＣＰＵ）１６及びメモリ（ＲＡＭ）１８結合されたハードウェアブロック１３内へのＩ／Ｏ経路１２を示す、ＳＴＡハードウェア構成の実施形態例１０を示す。プロセッサ１６上では、ＳＴＡが「新規ＳＴＡ」又は既にネットワーク内に存在するＳＴＡのうちの１つの機能を実行できるように、通信プロトコルを実装するプログラムを実行するための、メモリ１８からの命令が実行される。また、このプログラミングは、現在の通信状況でどのような役割を果たしているかに応じて異なるモード（ソース、中間、宛先）で動作するように構成されると理解されたい。この図示のホストマシンは、近隣ＳＴＡとの間でフレームを送受信する複数のアンテナ２４ａ〜２４ｎ、２６ａ〜２６ｎ、２８ａ〜２８ｎへの無線周波数（ＲＦ）回路２２ａ、２２ｂ、２２ｃに結合されたｍｍＷモデム２０を含むように構成される。また、このホストマシンは、（単複の）アンテナ３４への無線周波数（ＲＦ）回路３２に結合されたｓｕｂ−６ＧＨｚモデム３０を含むことも分かる。
【００８０】
従って、この図示のホストマシンは、２つの異なる帯域で通信を行えるように、２つのモデム（マルチバンド）及びその関連するＲＦ回路を含むように構成される。限定ではなく一例として、対象の指向性通信帯には、ｍｍＷ帯でデータを送受信できるようにｍｍＷ帯モデム及びその関連するＲＦ回路が実装される。本明細書では一般に発見帯と呼ぶ他方の帯域は、ｓｕｂ−６ＧＨｚ帯でデータを送受信できるようにｓｕｂ−６ＧＨｚモデム及びその関連するＲＦ回路を含む。
【００８１】
この例では、ｍｍＷ帯のためのＲＦ回路を３つ示しているが、本開示の実施形態は、あらゆる任意の数のＲＦ回路に結合されたモデム２０を含むように構成することができる。一般に、使用するＲＦ回路の数が多ければ多いほど、アンテナビーム方向のカバレッジが広くなる。なお、利用するＲＦ回路の数及びアンテナの数は、特定の装置のハードウェア制約によって決まると理解されたい。ＲＦ回路及びアンテナの中には、ＳＴＡが近隣ＳＴＡと通信する必要がないと判断した時に無効にできるものもある。少なくとも１つの実施形態では、ＲＦ回路が、周波数変換器及びアレイアンテナコントローラなどを含み、送受信のためにビームフォーミングを実行するように制御される複数のアンテナに接続される。このように、ＳＴＡは、複数のビームパターンの組を使用して信号を送信することができ、各ビームパターン方向がアンテナセクタとみなされる。
【００８２】
図１１に、ＳＴＡが複数の（例えば、３６個の）ｍｍ波アンテナセクタパターンを生成するために利用できるｍｍ波アンテナ方向の実施形態例５０を示す。この例では、ＳＴＡが、３つのＲＦ回路５２ａ、５２ｂ、５２ｃと接続アンテナとを実装し、各ＲＦ回路及び接続アンテナは、ビームフォーミングパターン５４ａ、５４ｂ、５４ｃを生成する。図示のアンテナパターン５４ａは、１２個のビームフォーミングパターン５６ａ、５６ｂ、５６ｃ、５６ｄ、５６ｅ、５６ｆ、５６ｇ、５６ｈ、５６ｉ、５６ｊ、５６ｋ及び５６ｎ（「ｎ」は、あらゆる数のパターンをサポートできることを表す）を有する。この特定の構成を使用する局の例は３６個のアンテナセクタを有するが、本開示は、あらゆる所望の数のアンテナセクタをサポートすることができる。説明を容易かつ明確にするために、以下の節では一般にさらに少ない数のアンテナセクタを有するＳＴＡについて説明するが、これを実装制限と解釈すべきではない。なお、アンテナセクタにはあらゆる任意のビームパターンをマッピングすることができると理解されたい。通常、ビームパターンは、鋭角ビーム（ｓｈａｒｐ  ｂｅａｍ）を生成するように形成されるが、複数の角度から信号を送受信するようにビームパターンを生成することも可能である。
【００８３】
アンテナセクタは、ｍｍ波ＲＦ回路の選択と、ｍｍ波アレイアンテナコントローラによって指示されるビームフォーミングとによって決まる。ＳＴＡハードウェアコンポーネントは、上述したものとは異なる機能分割を有することもできるが、このような構成は、説明する構成の変形例とみなすことができる。ｍｍ波ＲＦ回路及びアンテナの中には、ＳＴＡが近隣ＳＴＡと通信する必要がないと判断した時に無効にできるものもある。
【００８４】
少なくとも１つの実施形態では、ＲＦ回路が周波数変換器及びアレイアンテナコントローラなどを含み、送受信のためにビームフォーミングを実行するように制御される複数のアンテナに接続される。このように、ＳＴＡは、複数のビームパターンの組を使用して信号を送信することができ、各ビームパターン方向がアンテナセクタとみなされる。
【００８５】
図１２に、ＲＦ回路７２に取り付けられた準全方向アンテナ７４を使用するように想定されたｓｕｂ−６ＧＨｚモデムのアンテナパターンの実施形態例７０を示すが、他の回路及び／又はアンテナを制限なく利用することもできる。
【００８６】
３．本開示における割り当て情報の配信
本開示では、時間及び方向割り当て情報の配信及び使用を可能にする複数の要素について教示する。
【００８７】
図１３Ａ及び図１３Ｂに、ＷＬＡＮスーパーフレームの実施形態例９０、１１０を示す。図１３Ａの第１の例には、現在のビーコン間隔に関するスケジュールされた情報を示すビーコン送信をＢＴＩ９２、１０２が含むスーパーフレーム９０の例を示す。ＢＴＩ間隔中に送信されるビーコンは、スケジュールされた様々な期間（ＳＰ９７、ＴＤＤ−ＳＰ９８、ＣＢＡＰ１００）などの割り当てリソース９６に関する情報を有する。ＢＴＩ中に送信されるビーコンは、送信及び受信方向に関する情報も有する。ＢＴＩ中に送信されるビーコンは、アクセススキームに割り当てられていない時間リソース、或いはビーコンによって空又は未スケジュールとして定められる時間リソースを表す未使用のリソース（スケジュールされていない時間リソース）に関する情報９４も提供する。
【００８８】
図１３Ｂの第２の例には、ＢＴＩ１１２と１２２との間のスーパーフレーム１１０がスケジュール済みのＴＤＤ−ＳＰ１１４である例を示す。このフレームでは、ＢＴＩにおいて送信されるビーコンが、ＴＤＤ−ＳＰスケジュールに関する情報を有する。このビーコンを受け取ったノードは、スケジュールされていない（未スケジュールの）ＴＤＤスロット１１６、又はこのノードに干渉しないと思われる他のユーザにスケジュールされたＴＤＤスロット１１８、１２０を把握（決定）することができる。一例として、図には送信（Ｔｘ）１１８及び受信（Ｒｘ）１２０のための複数の期間を示す。
【００８９】
４．方向チャネル情報
ＳＴＡは、データ送信及び受信が行われる方向に関する情報を送信する。この情報は、スケジュールされた時間領域情報を送信及び受信方向にマッピングするために近隣ノードにブロードキャストされる。少なくとも１つの実施形態における方向情報は、各割り当てられた送信又は特定のサービス期間内に発生し得る送信のセクタＩＤ及びアンテナＩＤを含む。
【００９０】
図１４に、ユーザに時間リソースを割り当てる（１３４）ＷＬＡＮフレームの実施形態例１３０を示す。図示のフレームは、ビーコン送信期間（ＢＴＩ）１３２、（例えば、セクタ５として示す）サービス期間（ＳＰ）（Ｔｘ／Ｒｘ）１３６、（例えば、セクタ１２、２５として示す）競合ベースのアクセス期間（ＣＢＡＰ）（Ｔｘ／Ｒｘ）１３８、１４２、及び（例えば、セクタ３４として示す）時分割二重サービス期間（ＴＤＤ−ＳＰ）（Ｔｘ／Ｒｘ）１４０として示すフィールドを含む。これらの各フィールドの使用については、図１５の指向性送信例に関連して後述する。
【００９１】
図１５に、局（ＳＴＡ４）が全方向に情報を送信する実施形態例１５０を示す。複数のＳＴＡノードを、１５２  ＳＴＡ１、１５４  ＳＴＡ２、１５６  ＳＴＡ３及び１５８  ＳＴＡ４として示す。なお、ＳＴＡ４は、説明を単純にするために図示していない他のＳＴＡとも通信する。
【００９２】
図示のＳＴＡ４は、この例図において強調表示するセクタ方向５、１２、２５及び３４を含む全方向にビーコンを送信している。ＳＴＡ１  １５２は、ＳＴＡ４からのセクタＩＤ５から図１４のビーコン１３０を受け取っており（１５３）、従って送信のスケジュール済みＳＰ期間１３６及びＣＢＡＰ期間１４２内のデータを取得する。ＳＴＡ２  １５４は、セクタ８からのものとして示すビーコンを受け取る１５５が、ビーコンにはこのセクタのための特定のデータは存在しない。同様に、ＳＴＡ３  １５６は、セクタＩＤ１２からのビーコンを受け取り（１５７）、図１４のフィールド１３８に示すスケジュール済みＣＢＡＰ期間内のデータを取得する。
【００９３】
図１４を参照すると、１５８  ＳＴＡ４は、図示していないＳＴＡにセクタ２５及び３４の割り当てデータを通信することも分かる。なお、ビーコンを受け取った周辺エリア内のＳＴＡは、ビーコン内に示される割り当てが、ビーコンを受け取った同じ方向からのものであるか否かを自力で判定することができる。例えば、この判定は、示される割り当てのセクタＩＤと受信ビーコンのセクタＩＤとを比較することによって行うことができる。受信ビーコンのセクタＩＤが割り当てのセクタＩＤに一致する場合、ＳＴＡは、この占められたリソースの割り当てを干渉の原因となる恐れがあるものとみなす。
【００９４】
５．ＷＬＡＮ共存
ネットワーク内のノードが他のノードによるチャネルへのアクセスを認識するようになれば、これらのノード間の全体的効率及び共存を高めることができる。ＴＤＤ  ＳＰチャネルアクセスでは、ノードが感知せずにチャネルにアクセスできるので、ＴＤＤチャネルの使用を認識している他のノードは、ＴＤＤ  ＳＰチャネルとの共存の可能性を高めるのに役立つことができる。ＴＤＤスロット構造、ＴＤＤネットワーク内のノードのＴＤＤスケジューリング及び送信方向などの情報は、周辺エリア内の全ノードにブロードキャストされることが好ましい。周辺エリア内の他のノードは、この情報が存在する場合にはこれを走査して自機のチャネルアクセスのために使用する。ＣＢＡＰ又は通常のＳＰのような他のアクセススキームを使用する他のＳＴＡは、他のＳＴも同様に共存してより効率的にチャネルにアクセスするのに役立つようにチャネル使用の方向及び時間割り当てをブロードキャストすることができる。
【００９５】
５．１．ＴＤＤ  ＳＰネットワーク
ＴＤＤ  ＳＰを使用するＳＴＡは、少なくとも潜在的データ送信又は受信の方向にビーコンを送信するように構成される。データ送信方向は、ＳＴＡが別のＳＴＡとビームフォーミングして関連付けられる方向である。ＷＬＡＮネットワークビーコンは、ＴＤＤ  ＳＰ構造及び割り当ての詳細を一切含まない割り当て情報を伝えることができる。また、ＷＬＡＮネットワークビーコンは、これらの割り当てがアクティブである方向の詳細を一切含まない割り当て情報を伝えることもできる。
【００９６】
（Ａ）ＴＤＤ−ＳＰを使用するネットワーク内のＳＴＡの修正は以下のように行われる。（１）ＴＤＤ  ＳＰを使用する各ＳＴＡは、少なくとも別のＳＴＡがＴＤＤ  ＳＰを使用して通信している方向にビーコンを送信する。（２）少なくとも１つの実施形態では、ビーコンが、ＴＤＤ  ＳＰ内の各割り当てのＴＤＤスロット構造及びＴＤＤスケジュール要素を含む。（３）少なくとも１つの実施形態では、ＴＤＤスケジュール要素が、スロット割り当て及び送信方向（送信のセクタＩＤ及びＤＭＧアンテナＩＤ）を含む。
【００９７】
（Ｂ）通知を受け取ったＳＴＡの修正は以下のように行われる。（１）（例えば、ＴＤＤ−ＳＰチャネルアクセス又はその他のチャネルアクセス法を使用する）ＴＤＤ−ＳＰネットワーク外のＳＴＡは、自機が送信又は受信を行っていない状態でビーコンがその受信方向に向けてビームフォーミングされた場合にブロードキャストビーコンを受け取ることができる。（２）ビーコンを受け取ったＳＴＡは、ビーコンを容易に復号することができる。（３）ＳＴＡは、スケジュールされたＳＰ及びＴＤＤ−ＳＰスロットに関する情報を取得することができる。（４）ＳＴＡは、関心方向のスケジュールされたスロットに関する情報を取得することができる。（５）ＳＴＡは、その送信又は受信方向における干渉のない通信を取得するために空いているスロット又は時間を識別することができる。（６）ＳＴＡは、検出されたビーコンを受け取ったＳＴＡと素早くビームフォーミングして、発見されたＳＴＡとの関連付け又は認証を伴わずに潜在的な干渉の方向のみを決定する。（７）ＳＴＡは、たとえ準全方向アンテナを使用して測定されたクリアチャネル評価（Ｃｌｅａｒ  Ｃｈａｎｎｅｌ  Ａｓｓｅｓｓｍｅｎｔ（ＣＣＡ））閾値が満たされていなくても、検出された干渉が通信対象の方向以外の異なる方向から検出された場合にはチャネルにアクセスすることができる。
【００９８】
５．２．ＣＢＡＰ及び通常のＳＰネットワーク
ＣＢＡＰ及び通常のＳＰを使用するＳＴＡは、ビーコンを全方向に送信する。ＳＴＡは、少なくとも潜在的データ送信又は受信方向にビーコンを送信すべきである。データ送信方向は、ＳＴＡが別のＳＴＡとビームフォーミングして関連付けられる方向である。ＷＬＡＮネットワークビーコンは、ビーコンを送信するＳＴＡが使用する送信及び受信アンテナの詳細を一切含まない割り当て情報を有する拡張スケジュール要素を伝えることができる。ＳＴＡがＴＤＤ  ＳＰとＣＢＡＰ又は通常のＳＰとを両方とも使用する場合、拡張スケジュール要素は、スロットスケジュール及びスロット構造要素と共に送信される。これにより、異なる割り当て期間の合間であってＴＤＤ  ＳＰ期間内でもある空いている時間に関する情報が提供される。
【００９９】
（Ａ）方向及び割り当て情報を通知するＳＴＡの修正は以下のように行われる。（１）各ＳＴＡは、少なくとも別のＳＴＡが通信している方向にビーコンを送信する。（２）ビーコンは、全ての割り当てを含むＥＤＭＧ拡張スケジュール要素を含むべきである。（３）ＥＤＭＧ拡張スケジュール要素内の各割り当ては、この割り当てに使用されるＴｘ及びＲｘアンテナ構成（送信のアンテナタイプ、セクタＩＤ、及びＤＭＧアンテナＩＤ）を指定すべきである。
【０１００】
（Ｂ）通知を受け取ったＳＴＡの修正は以下のように行われる。（１）（いずれかのチャネルアクセススキームを使用できる）ＢＳＳ外のＳＴＡは、自機が送信又は受信を行っていない状態でビーコンがその受信方向に向けてビームフォーミングされた場合にブロードキャストビーコンを受け取ることができる。（２）ビーコンを受け取ったＳＴＡは、ビーコンを復号することができる。（３）ＳＴＡは、他のノードがチャネルにアクセスしているアクティブ期間に関する情報をビーコンから取得することができる。（４）ＳＴＡは、関心方向にスケジュールされた期間に関する情報を取得することができる。（５）ＳＴＡは、その送信又は受信方向における干渉のない通信を形成するために空いている期間を識別することができる。（６）ＳＴＡは、検出されたビーコンを受け取ったＳＴＡと素早くビームフォーミングして、発見されたＳＴＡとの関連付け又は認証を伴わずに潜在的な干渉の方向のみを決定する。（７）ＳＴＡは、たとえ準全方向アンテナを使用して測定されたＣＣＡ閾値が満たれていなくても（例えば、チャネルが遮断されたように見えても）、検出された干渉が通信対象の方向以外の異なる方向から検出された場合にはチャネルにアクセスすることができる。
【０１０１】
５．３．送信通知の一般的方向
いくつかの例では、ＳＴＡがビーコンを全方向に送信する。ＳＴＡは、少なくとも潜在的データ送信又は受信方向にビーコンを送信すべきである。データ送信方向は、ＳＴＡが別のＳＴＡとビームフォーミングして関連付けられる方向である。本開示の実施形態によるビーコンは、アクティブな送信又は受信の方向を含む新たな要素を伝えることができる。
【０１０２】
（Ａ）方向及び割り当て情報を通知するＳＴＡの修正は以下のように行われる。（１）各ＳＴＡは、少なくとも別のＳＴＡと通信している方向にビーコンを送信する。（２）少なくとも１つの実施形態では、ビーコンが、全てのアクティブな送信及び受信ビーム方向を含む方向情報要素を含む。（３）少なくとも１つの実施形態では、方向情報要素内のアクティブな各送信又は受信が、このアクティブな通信に使用されるＴｘ及びＲｘアンテナ構成（送信のアンテナタイプ、セクタＩＤ、及びＤＭＧアンテナＩＤ）を指定する。
【０１０３】
（Ｂ）通知を受け取ったＳＴＡの修正は以下のように行われる。（１）（例えば、いずれかのチャネルアクセススキームを使用できる）ＢＳＳ外のＳＴＡは、自機が送信又は受信を行っていない状態でビーコンがその受信方向に向けてビームフォーミングされた場合にブロードキャストビーコンを受け取ることができる。（２）ビーコンを受け取ったＳＴＡは、ビーコンを復号することができる。（３）ＳＴＡは、ビーコンに含まれる割り当て情報からアクティブな通信方向に関する情報を取得することができる。（４）ＳＴＡは、検出されたビーコンを受け取ったＳＴＡと素早くビームフォーミングして、発見されたＳＴＡとの関連付け又は認証を伴わずに潜在的な干渉の方向のみを決定する。（５）ＳＴＡは、たとえ準全方向アンテナを使用して測定されたＣＣＡ閾値が満たれていなくても（チャネルが閉鎖されたように見えても）、検出された干渉が通信対象の方向とは異なる方向から検出された場合にはチャネルにアクセスすることができる。
【０１０４】
６．修正された及び新たな情報要素
６．１．ＥＤＭＧ拡張スケジュール要素及び方向情報
ＥＤＭＧ拡張スケジュール要素は、どのチャネル上で割り当てがスケジュールされているかについての指示を含む、ＥＤＭＧ  ＢＳＳのチャネルスケジューリングを定める。
【０１０５】
図１６に、ＥＤＭＧ拡張スケジュール要素フォーマットの実施形態例１７０を示す。要素ＩＤ（ｅｌｅｍｅｎｔ  ＩＤ）、要素ＩＤ拡張（Ｅｌｅｍｅｎｔ  ＩＤ  ｅｘｔｅｎｓｉｏｎ）及び長さ（ｌｅｎｇｔｈ）は、要素のタイプ及び要素の長さを示す。ＥＤＭＧ割り当て制御（ＥＤＭＧ  Ａｌｌｏｃａｔｉｏｎ  Ｃｏｎｔｒｏｌ）フィールドは、ＥＤＭＧ割り当てプロセスに対するいくつかの制御ビットを含む。割り当て数（Ｎｕｍｂｅｒ  ｏｆ  Ａｌｌｏｃａｔｉｏｎｓ）フィールドは、要素内の割り当ての数を示す。チャネル割り当て数（ｎｕｍｂｅｒ  ｏｆ  ｃｈａｎｎｅｌ  ａｌｌｏｃａｔｉｏｎｓ）フィールドは、後述するように示される。
【０１０６】
図１７に、チャネル割り当て（ｃｈａｎｎｅｌ  Ａｌｌｏｃａｔｉｏｎ）フィールドの実施形態例１９０を示す。スケジューリングタイプ（Ｓｃｈｅｄｕｌｉｎｇ  ｔｙｐｅ）は、１の場合にはチャネル割り当てフィールドが完全な割り当て情報を含み、それ以外の場合には補完情報しか含まないことを示す。チャネル集約（ｃｈａｎｎｅｌ  ａｇｇｒｅｇａｔｉｏｎ）及びＢＷサブフィールドは、割り当てが使用しているＢＷを定める。非対称ビームフォーミング（Ａｓｙｍｍｅｔｒｉｃ  Ｂｅａｍｆｏｒｍｉｎｇ）、ＮＳＴＳ、及びＮｍａｘ  ＳＴＳサブフィールドは、非対称ビームフォーミングサブフィールドが１の場合に非対称ビームフォーミングトレーニング割り当てを構成するために使用される。受信方向（Ｒｅｃｅｉｖｅ  Ｄｉｒｅｃｔｉｏｎ）及び送信方向（Ｔｒａｎｓｍｉｔ  Ｄｉｒｅｃｔｉｏｎ）サブフィールドは、割り当て中にＰＣＰ又はＡＰが使用する受信アンテナ及び送信アンテナ構成を示し、以下に示すようにフォーマットされる。非対称ビームフォーミングトレーニングサブフィールドが１の場合、受信方向及び送信方向サブフィールドは保留される。
【０１０７】
図１８に、受信及び送信方向サブフィールドの実施形態例２１０を示す。ＩｓＤｉｒｅｃｔｉｏｎａｌサブフィールドは、１に設定されると、ＰＣＰ又はＡＰが指向性の非準全方向アンテナパターンを使用して割り当て中の受信時にフレームを受け取って送信時にフレームを送信することを示し、それ以外の場合は０に設定される。ＩｓＤｉｒｅｃｔｉｏｎａｌサブフィールドが０の場合、セクタＩＤ（Ｓｅｃｔｏｒ  ＩＤ）サブフィールドは保留される。それ以外の場合、セクタＩＤサブフィールドは、ＰＣＰ又はＡＰがこの割り当て中の受信時にフレームを受け取って送信時にフレームを送信するために使用するセクタを示す。ＩｓＤｉｒｅｃｔｉｏｎａｌサブフィールドが０の場合、ＤＭＧアンテナＩＤ（ＤＭＧ  Ａｎｔｅｎｎａ  ＩＤ）サブフィールドは保留される。それ以外の場合、ＤＭＧアンテナＩＤサブフィールドは、ＰＣＰ又はＡＰがこの割り当て中の受信時にフレームを受け取って送信時にフレームを送信するために使用するＤＭＧアンテナを示す。
【０１０８】
６．２．ＴＤＤ  ＳＰ割り当て及び方向性のブロードキャスト
ＴＤＤスケジュール（ＴＤＤ  Ｓｃｈｅｄｕｌｅ）要素は、ＴＤＤ  ＳＰ内のＴＤＤスロットに対するＤＭＧ  ＳＴＡのアクセス割り当てに関する情報を含む。この要素は、割り当てられたＴＤＤ−ＳＰ期間内でいつ送信を行って受信を期待すべきかについてＳＴＡに通知するために使用される。
【０１０９】
図１９に、ＴＤＤスロットスケジュール（ＴＤＤ  ｓｌｏｔ  ｓｃｈｅｄｕｌｅ）要素フォーマットの実施形態例２３０を示す。要素ＩＤ、長さ、及び要素ＩＤ拡張は、要素のタイプ及び要素の長さを示す。ビットマップ及びアクセスタイプスケジュール（Ｂｉｔ  Ｍａｐ  ａｎｄ  Ａｃｃｅｓｓ  Ｔｙｐｅ  Ｓｃｈｅｄｕｌｅ）フィールド及びスロットカテゴリスケジュール（Ｓｌｏｔ  Ｃａｔｅｇｏｒｙ  Ｓｃｈｅｄｕｌｅ）フィールドは、この特定の割り当ての送信及び受信のマッピング、並びにスロットのタイプを示す。
【０１１０】
図２０に、スロットスケジュール制御（ｓｌｏｔ  ｓｃｈｅｄｕｌｅ  Ｃｏｎｔｒｏｌ）フィールドフォーマットの実施形態例２５０を示す。チャネル集約及びＢＷサブフィールドは、割り当てが使用しているＢＷを定める。スロットスケジュール開始時間（ｓｌｏｔ  ｓｃｈｅｄｕｌｅ  ｓｔａｒｔ  ｔｉｍｅ）は、スケジュール要素情報がいつ有効になるかを示す。ビットマップ内ＴＤＤ間隔数（Ｎｕｍｂｅｒ  ｏｆ  ＴＤＤ  Ｉｎｔｅｒｖａｌｓ  ｉｎ  ｔｈｅ  Ｂｉｔｍａｐ）は、ＴＤＤスケジュール開始時間後のビットマップ内のＴＤＤ間隔の数を示す。割り当てＩＤ（ａｌｌｏｃａｔｉｏｎ  ＩＤ）は、このＩＤによって識別される特定の割り当てを示す。ＴｘセクタＩＤ（Ｔｘ  ｓｅｃｔｏｒ  ＩＤ）及びＴｘ  ＤＭＧアンテナＩＤ（Ｔｘ  ＤＭＧ  ａｎｔｅｎｎａ  ＩＤ）は、この要素の送信時にこの割り当ての送信に使用されているセクタＩＤ及びＤＭＧアンテナＩＤを示す。ＲｘセクタＩＤ（Ｒｘ  ｓｅｃｔｏｒ  ＩＤ）及びＲｘ  ＤＭＧアンテナＩＤ（Ｒｘ  ＤＭＧ  ａｎｔｅｎｎａ  ＩＤ）は、この要素の送信時にこの割り当ての受信に使用されているセクタＩＤ及びＤＭＧアンテナＩＤを示す。また、少なくとも１つの実施形態では、追加機能をサポートするためにビットが保留される。
【０１１１】
６．３．方向情報要素
準全方向アンテナを使用した指向性ビーム又は異なる帯域を通じて全方向にブロードキャストされるフレームと共に送信できる場合には、新たな要素が導入される。例えば、この新たな要素は、ＤＭＧビーコン送信のビーコンに添付することができる。以下の図には、この要素の例を示す。
【０１１２】
図２１に、方向情報（ＤＩ）要素の実施形態例２７０を示す。ＤＩ要素は、要素のタイプ及び要素の長さを示す要素ＩＤ、長さ、及び要素ＩＤ拡張を含む。アンテナビーム構成数（Ｎｕｍｂｅｒ  ｏｆ  ａｎｔｅｎｎａ  ｂｅａｍ  ｃｏｎｆｉｇｕｒａｔｉｏｎ）には、構成されるアンテナビームの数が示される。この数は、要素内のアンテナ構成フィールドの数を決定する。各アンテナ構成は、少なくとも１つの送信方向（Ｔｒａｎｓｍｉｔ  ｄｉｒｅｃｔｉｏｎ）及び受信方向（Ｒｅｃｅｉｖｅ  ｄｉｒｅｃｔｉｏｎ）フィールドの対を含み、より典型的には複数方向の送信及び受信情報を含む複数のペアを含む。送信方向及び受信方向フィールドは、図１８で定義したフィールドに類似する。
【０１１３】
図２２に、別の方向情報（ＤＩ）要素の実施形態例２９０を示す。この要素は、要素のタイプ及び要素の長さを示す要素ＩＤ、長さ、及び要素ＩＤ拡張を含む。この要素は、各ＤＭＧアンテナのアクティブビームのためのマップを含む。ＤＭＧアンテナ数（Ｎｕｍｂｅｒ  ｏｆ  ＤＭＧ  ａｎｔｅｎｎａ）フィールドは、要素内のＴｘ、Ｒｘマップフィールドの数を示す。Ｔｘビームパターン数及びＲｘビームパターン数は、Ｔｘ及びＲｘマップのサイズを示す。各ＤＭＧアンテナは、Ｔｘ及びＲｘビームＩＤマップを有する。マップ位置に関連するビームＩＤは、Ｔｘ又はＲｘビームＩＤマップ内のＴｘ又は受信においてアクティブな場合に設定される。
【０１１４】
７．割り当て及び方向Ｔｘブロードキャスト例
７．１．ＴＤＤ  ＳＰスケジューリング及び割り当て情報の割り当てＴｘの方向のみのブロードキャスト
方向「ｉ」に送信される各ビーコンは、この方向でのアクティブな送信のためのＴＤＤスロットスケジュール及びＴＤＤスロット構造を含む。この方向に複数のアクティブな送信又は受信が存在する場合、これらのアクティブなＴｘ／ＲｘのためのＴＤＤスケジュール及び構造要素がビーコンと共に含まれる。少なくとも１つの実施形態では、ノードが、これらのアクティブなＴｘ／Ｒｘのための同じＴＤＤスケジュール及び構造要素を近隣方向に送信して、近隣のアクティブなビームからの漏出の可能性を通知する。
【０１１５】
図２３に、ＴＤＤ方向及び割り当て情報を含むビーコンを送信する実施形態例３１０を示す。処理を開始して（３１２）、方向「ｉ」へのビーコン送信を準備する（３１４）。方向「ｉ」にアクティブな送信又は受信が存在するかどうかをチェックする（３１６）。この方向にアクティブなＴｘ／Ｒｘが存在する場合には、ブロック３１８においてこの方向のビーコン送信にＴＤＤスケジュール構造を追加して、実行はブロック３２０に進む。ブロック３１６においてこの方向にアクティブなＴｘ／Ｒｘが存在しない場合、実行は直接ブロック３２０に進んで方向「ｉ」にビーコンを送信する。次に、送信すべきビーコンがさらに存在するかどうかをチェックする（３２２）。送信すべきビーコンがさらに存在する場合には、方向ｉを次のビーコン送信方向に更新して（３２４）ブロック３１４に戻り、そうでなければ処理を終了する（３２６）。
【０１１６】
図２４Ａ及び図２４Ｂに、異なるビーコンフレーム方向に送信されるフレームの実施形態例３３０、３４０を示す。図２４Ａには、方向「ｉ」においてアクティブな２つの割り当て（割り当て１及び割り当て２）のためのＴＤＤスロットスケジュール及び構造情報要素と共に方向「ｉ」に送信されるビーコンフレームの例を示す。図２４Ｂでは、ビーコンフレームの例が、方向ｉ＋１においてアクティブな１つの割り当て（ｎＡｌｌｏｃａｔｉｏｎ３）のためのＴＤＤスロットスケジュール及び構造情報要素と共に方向ｉ＋１に送信される。
【０１１７】
７．２．ＴＤＤ  ＳＰチャネルアクセスのための、割り当てＴｘの全てのスケジューリング、割り当て及び方向の全方向へのブロードキャスト
いずれかの方向「ｉ」に送信される各ビーコンは、全方向などの全てのアクティブな送信のためのＴＤＤスロットスケジュール及びＴＤＤスロット構造要素を含む。これらの各要素は特定の割り当てＩＤを示し、この割り当てに使用されるビームＩＤを定める。受信側ＳＴＡは、この情報を利用して、意図される受信又は送信方向が、干渉を引き起こす恐れがある割り当てＩＤ及びビームＩＤに一致するかどうかを判定する。
【０１１８】
図２５に、ＴＤＤ方向及び割り当て情報を含むビーコンを送信するステップの実施形態例３９０を示す。処理を開始した（３９２）後に、現在のノード（ＳＴＡ）と通信している「ｎ」個のアクティブなピアのリストを準備する（３９４）。処理シーケンスは、いずれかのアクティブなピアが存在するかどうか、又はこれらのピアが全て処理されたかどうかを判定する（３９６）ことによって開始する。この処理シーケンスは、減分カウントシーケンスを使用して示しているが、増分カウントシーケンスを使用することも、又はアクティブなピアの各々に対処できるように非シーケンスコーディングを使用することもできると理解されたい。
【０１１９】
アクティブなピアが存在する場合にはブロック３９８に進み、ビーム情報要素（ＩＥ）にＴＤＤスケジュールを追加する。その後、アクティブピアカウンタを減分して（４００）ブロック３９６に戻る。
【０１２０】
一方でピア又はさらなるアクティブなピアが存在しない場合にはブロック４０２に進み、準備された情報要素（ＩＥ）を追加して方向「ｉ」にビーコンを送信する。その後、ブロック４０４において、送信すべきさらなるビーコンが存在するかどうかをチェックする。さらなるビーコンが存在する場合には、ブロック４０６において方向を更新してブロック４０２に戻り、そうでなければブロック４０８において実行を終了する。
【０１２１】
従って、全てのアクティブな送信及び受信のためにＴＤＤスロットスケジュール及びＴＤＤスロット構造要素が準備されることが分かる。ＴＤＤスロットスケジュール及びＴＤＤスロット構造要素は、送信される各ビーコンに全て追加される。
【０１２２】
図２６Ａ及び図２６Ｂに、異なるビーコンフレーム送信の実施形態例４１０、４２０を示す。図２６Ａでは、全方向においてアクティブな「ｎ」個の割り当てのためのＴＤＤスロットスケジュール及び構造情報要素と共にビーコンフレームが方向「ｉ」に送信され、図２６Ｂでは、全方向に同じ要素が追加されたビーコンフレームが方向ｉ＋１に送信される。
【０１２３】
７．３．送信及び受信方向情報を含む拡張ＤＭＧ割り当て情報のブロードキャスト
ＳＴＡは、ＥＤＭＧ拡張割り当て要素内の各割り当てフィールドに送信及び受信方向を追加する。ＳＴＡは、割り当てのいずれかがＴＤＤ  ＳＰ割り当てである場合、上記の例で説明したようにＴＤＤスケジューリング及び構造要素を追加するように構成される。
【０１２４】
７．４．方向情報要素のブロードキャスト
図２７に、方向情報要素（ＩＥ）を含むビーコンを送信する実施形態例４３０を示す。処理を開始して（４３２）、ノードとアクティブに通信している「ｎ」個のピアのリストを準備する（４３４）。全てのＴｘ及びＲｘマップがヌル（ゼロ）に設定された方向情報（ＩＥ）を準備する（４３６）。ブロック４３８において、いずれかの処理すべきアクティブなピアがさらに存在するかどうかをチェックする。ブロック４３８においてさらなるアクティブピアが発見された場合、ブロック４４０において、特定のＤＭＧアンテナのビームＩＤ位置についてＴｘ及びＲｘマップにビーム情報を記録する。ブロック４４２においてループ制御を更新し、この例では「ｎ」の値を減分する。アクティブなピアが存在しなかった場合、又は上記のシーケンスにおいて全てのアクティブなピアを処理し終えた場合、ブロック４４４において、準備した情報要素（ＩＥ）をビーコンに追加し、このビーコンを方向「ｉ」に送信する。ブロック４４６において、送信すべきビーコンがさらに存在するかどうかをチェックする。さらなるビーコンが存在する場合には、ブロック４４８において方向を更新してブロック４４４に戻り、そうでなければブロック４５０において実行を終了する。
【０１２５】
従って、上記では、送信される各ビーコンが方向情報要素を伝えることが分かる。方向情報要素は、他のピアＳＴＡとの全てのアクティブな通信を調べ、対応するＤＭＧアンテナに関してマップ内のアクティブなＴｘ及びＲｘビームＩＤに使用中としてマーキングすることによって準備される。ＳＴＡは、Ｔｘ  Ｒｘマップ内の全てのビットをゼロ（未使用の指示）に設定し、全てのアクティブな通信を順に辿って、Ｔｘ及びＲｘに使用されるビームＩＤを１（使用中の指示）に設定する。全てのアクティブな通信が実行されると、いずれかの送信されるビーコン又はブロードキャストされるフレームと共に情報要素を送信して方向情報を通知する。
【０１２６】
８．割り当て及び方向Ｔｘ又はＲｘ情報を含むビーコンを受け取るＳＴＡ
ビーコンフレームなどを通じてＴＤＤ  ＳＰスケジュール及び構造要素、拡張スケジュール要素又は方向情報要素を受け取ったいずれかのＳＴＡは、これらの要素が受け取られた方向のスペクトル割り当てに関する情報を抽出することができる。割り当てスケジュールに方向情報が含まれている場合、ＳＴＡは、受け取ったビーコンの送信ビームＩＤを割り当て情報内の方向情報と比較する。ビーコンのＴｘビームＩＤが、スケジューリング要素に含まれている割り当ての指向性ビームＩＤのいずれかと一致する場合には、その方向にアクティブな送信又は受信が存在することを示す。これに応答して、ＳＴＡは、以下の節で説明する複数の行動のうちの１つを取ることができる。
【０１２７】
図２８に、ビーコンを受け取るＳＴＡの実施形態例４７０を示す。処理を開始して（４７２）、ビーコンが受け取られたかどうかをチェックする（４７４）。ビーコンが受け取られていない場合、実行はブロック４７４に戻り、或いは処理を他のタスクの実行に移して後でビーコンの受け取りをチェックする。ビーコンが受け取られたと判明した場合、ブロック４７６において、ビーコンが割り当て又は方向情報要素を含むかどうかをチェックする。さらなる情報要素が存在しない場合、実行はブロック４８６に進む。そうでなければ、ブロック４７８において情報要素の処理を開始し、割り当て情報に方向情報が含まれているかどうかをチェックする。方向情報が存在しない場合、割り当て情報を処理するブロック４８０を実行し、実行はブロック４８６に進む。一方で方向情報が存在する場合には、ブロック４８２に進んでビーコンＴｘビームＩＤが方向割り当て情報に一致するかどうかをチェックする。一致する場合には、ブロック４８４において方向及び割り当て情報を処理し、実行はブロック４８６に進む。一方でブロック４８２において一致しない場合、実行は直接ブロック４８６に進む。ブロック４８６において、受け取ったビーコンを処理した後に、このプロセスは終了する（４８８）。
【０１２８】
従って、上記の処理は、ＢＳＳの一部であるＢＳＳ内の別のＳＴＡ、又は異なるＢＳＳのＳＴＡからビーコンを受け取ることができることを示す。ＳＴＡは、たとえ自機が一部を成すＢＳＳ以外の異なるＢＳＳからのものであった場合でもビーコン情報を処理することができる。ＳＴＡは、ビーコンを受け取ると、その中に割り当て情報が存在しない場合には通常の方法でビーコンを処理する。割り当て情報（ＴＤＤ  ＳＰスケジュール及び構造又は拡張スケジュール要素）が存在する場合、ＳＴＡは、ビーコンに指向性送信及び受信情報が添付されているかどうかをモニタする。ビーコン内に指向性送信及び受信情報（アクティブな送信及び受信の送信及び受信方向）が含まれていない場合、ＳＴＡは、ビーコン内の割り当て情報のみを処理する。
【０１２９】
この処理は、以下のような複数の利点をもたらす。（ａ）他のノードの送信又は受信がアクティブである時点での送信又は受信を回避する。（ｂ）ノードとビームフォーミングを実行して干渉の方向を割り当て、従って使用中としてマーキングする。（ｃ）予想される干渉を推定し、別の（単複の）期間と比べて干渉が少ないと予想される（単複の）期間を決定する。（ｄ）特定のＳＴＡの占有レベルを推定して、そのＳＴＡとの直接通信が保証される状況が存在するかどうかを判定する。
【０１３０】
方向情報の利用を可能にすることにより、受信側ＳＴＡに干渉が影響するかどうか、又は影響する可能性があるかどうかをより確実に判定できるようになると理解されたい。一方で、方向情報がビーコンのＴｘビームＩＤに一致しない場合、ＳＴＡは、この割り当ては自機が受信できないと考えられる異なる方向に存在するためノードに影響を与えていないと想定する。ＳＴＡは、アクティブな送信又は受信中に干渉方向からの干渉局からビーコンが受け取られない限り、このビーコンを自機の通信に対する脅威とはみなさず、通常の方法でビーコンを処理する。
【０１３１】
９．潜在的干渉方向を発見するためのビームフォーミング
方向及び割り当て情報を含むビーコンを受け取ったＳＴＡは、特定の時間割り当てに関する潜在的干渉の存在について知らされる。通常、感知は準全方向アンテナを使用して行われるので、どの方向がこの干渉局の影響を受け得るかは分からない。潜在的干渉を検出したＳＴＡは、潜在的干渉局の方向を特定するためにビームフォーミングをトリガすることができる。この例におけるビームフォーミングの目的は、発見されたノードとのリンクの設定、或いは認証又は関連付けを行うことではない。このビームフォーミングは、ＴＤＤビームフォーミングであるか、それとも通常のビームフォーミングであるかにかかわらず、発見されたＳＴＡが使用しているチャネルアクセスタイプに基づいてトリガされる。このＲｘビームフォーミングを実行する１つの実装は、ビーコン又はＳＳＷフレームと共にＴＲＮフィールド（トレーニングフィールド）を送信することによるものである。この実装は、ＳＴＡが他のＳＴＡと通信する必要なく干渉方向を発見するのに役立つと思われる。ＳＴＡは、干渉局とのビームフォーミング後に干渉の到来方向を特定し、この方向のスペクトルへのアクセス時にこれを考慮することができる。
【０１３２】
図２９Ａ〜図２９Ｃに、ＳＴＡ  Ａ５２０、ＳＴＡ  Ｂ５１２及びＳＴＡ  Ｃ５１４を示す実施形態例５１０、５３０、５５０を示す。図２９Ａでは、ＳＴＡ  Ｂ５１２が、ＳＴＡ  Ｃ５１４の方向にビーコンを送信する（５１６）プロセスでＳＴＡ  Ｃ５１４と通信し、アクティブなＴｘ／Ｒｘ通信５１８を確立している。ＳＴＡ  Ａ５２０も、準全方向アンテナを使用してビーコンを受け取る（５２２）ことが分かる。図２９Ｂでは、ＳＴＡ  Ａ５２０が干渉を発見し、干渉局の方向を特定するためにＲＸビームフォーミング５３２を実行する。図２９Ｃでは、ＳＴＡ  Ａ５２０が干渉局の方向を特定する（５５２）。
【０１３３】
１０．ＣＣＡ閾値を上回るチャネルへのアクセス
図３０Ａ〜図３０Ｄに、ＣＣＡ閾値を上回るチャネルにアクセスする実施形態例６１０、６３０、６５０、６７０を示す。準全方向アンテナを使用してチャネルを感知するＳＴＡは、使用したいと思っている方向の誤ったチャネル使用指示を取得することがある。ＳＴＡは、チャネルを感知して送信を発見しなかった場合には、このチャネルに自由にアクセスできるはずであるが、ＣＣＡが満たされていない場合には、感知された干渉に関連する異なる方向に通信しているので誤報となり得る。
【０１３４】
ｍｍＷネットワークの局所的部分に局（ＳＴＡ）ＳＴＡ  Ａ６１６、ＳＴＡ  Ｂ６１２、ＳＴＡ  Ｃ６１４及びＳＴＡ  Ｄ６１８を示す。図３０Ａでは、ＳＴＡ  Ｂ６１２及びＳＴＡ  Ｃ６１４が、その方向セクタ（チャネル）を占める通信６２０を確立している。ＳＴＡ  Ａ６１６及びＳＴＡ  Ｄ６１８は、チャネルアクセスを試行し、（６２４）クリアチャネル評価（ＣＣＡ）を満たしていない（６２２）。
【０１３５】
図３０Ｂでは、ＳＴＡ  Ａ６１６が、ＣＣＡを満たさなかった後にビーコンをリスンする（６３５）。図３０Ａでは、ＳＴＡ  Ａによるチャネルアクセス試行が失敗し、従ってＳＴＡ  Ａは、依然としてビーコンのリスニングを通じてチャネルにアクセスしようと試みている（６３４）。ここで述べた全ての手順は、割り当て及び方向情報を含むビーコンをＳＴＡ  Ｂ６１２が送信している６３２ように見えるチャネルアクセス試行の一部である。本開示では、（ここではＳＴＡ  Ｂからとして示すような）指向性送信情報を含むビーコンが発見された場合、これを使用して対象の通信方向に干渉が来ているかどうかを発見する。ビーコンは、チャネル内の割り当て及び送信方向に関する情報を伝える。受け取ったビーコンからの受信ビームＩＤが割り当てビームＩＤに一致する場合には、干渉が脅威になり得ることを示す。一致しない場合には、感知ノードに影響を与えない方向に干渉局が位置すると考えられることを意味する。
【０１３６】
図３０Ｃでは、ＳＴＡ  Ｂ６１２がＴｘアンテナトレーニング６５２を実行しており、ＳＴＡ  Ａ６１６がＲｘアンテナトレーニング６５４を実行しているのが分かる。なお、本開示では、少なくとも１つの例においてビーコンが潜在的干渉局（例えば、干渉源（ｉｎｔｅｒｆｅｒｅｒ））としてマーキングされた場合、ＳＴＡは、干渉源とのビームフォーミングを実行してその影響を受ける方向を特定すると認識される。少なくとも１つの実施形態例では、ビーコンを送信しているＳＴＡが、他方のＳＴＡのＲｘビームトレーニングを支援するためにＴＲＮフィールド（トレーニングフィールド）を送信するが、他の干渉対処法を実行することもできる。
【０１３７】
図３０Ｄでは、ＳＴＡ  Ａが、干渉を引き起こしているアンテナ方向セクタを特定し、少なくともこのセクタに使用中としてマーキングする。本開示は、受信電力閾値が高い場合、或いはノード移動の知識などの他の情報などに基づいて、必要に応じて近隣セクタにも使用中としてマーキングする能力を有するようにも構成されると理解されたい。なお、使用中としてマーキングされた方向は、他の何らかのノードがこの方向に情報を送信していて干渉が高いという理由でアクセスが妨げられる。しかしながら、ＳＴＡ（ＳＴＡ  Ａ）は、この例では他の「使用中でない」方向（ＳＴＡ  Ｄ）にアクセスすることができる。
【０１３８】
１１．開示要素の概要
以下の概要は、本開示のいくつかの重要な要素を開示するものであるが、この概要は、本開示の重要な要素のみを説明するものとして解釈すべきではない。
【０１３９】
ＳＴＡは、自機の時間割り当て及び割り当ての方向性をネットワーク発見信号と共にブロードキャストすることによってこの情報を通知する。ブロードキャストされる割り当て及び方向情報は、いずれも各方向に割り当てられた時間リソースを識別するものである。この情報は、以下のようにブロードキャストすることができる。（ａ）ＣＢＡＰ又はＳＰチャネルアクセスの場合には、ＳＴＡスケジューリング割り当て及びこの割り当てのＴｘビーム方向が通信される。（ｂ）ＴＤＤ  ＳＰチャネルアクセスの場合には、ＳＴＡスロット構造及びスロットスケジュール情報、及びこの割り当てのＴｘビーム方向が通信される。（ｃ）アクティブな割り当て（送信又は受信アクティビティ）がスケジュールされている方向を含む方向情報要素が通信される。
【０１４０】
ＳＴＡは、以下の方法のうちのいずれか１つによって割り当て及び方向情報を送信することができる。（ａ）各方向の割り当てに関連するＴＤＤ  ＳＰスロットスケジュール及び構造のリストの各方向への送信。（ｂ）全てのＴＤＤ  ＳＰスロットスケジュール及び構造要素の全方向へのブロードキャスト。（ｃ）ＥＤＭＧスケジュール済み割り当て情報、並びに送信及び受信方向情報の全方向へのブロードキャスト。（ｄ）方向情報要素の全方向へのブロードキャスト。
【０１４１】
ＳＴＡは、少なくとも送信方向にビーコンを送信すべきである。ビーコンは、全ての割り当て及び方向情報を含むことができる。ビーコンを受け取った他のＳＴＡは、ネットワーク内の送信の割り当て及び方向性に関する情報を取得することができる。
【０１４２】
ＳＴＡは、ビーコンＴｘビームＩＤを割り当てＴｘビームＩＤと比較して、受信方向に割り当てが存在するか否かを認識する。
【０１４３】
受け取ったビーコンがその方向の干渉を示している場合、ＳＴＡは、このビーコンを使用してＲｘビームフォーミングを実行することができる。こＲｘビームフォーミングは、ビーコンに添付して送信されたさらなるトレーニングフィールドの使用又はその他のビームフォーミング技術を通じて実行することができる。
【０１４４】
ＳＴＡは、Ｒｘビームフォーミング情報を使用してチャネル使用方向を識別することができる。感知されたチャネル使用が対象のアクセス方向以外の方向からのものであると分かった場合、ＳＴＡは、たとえＣＣＡを満たしていない場合でもこのチャネルにアクセスすることができる。
【０１４５】
１２．実施形態の一般的範囲
提示した技術の説明した強化は、様々な無線通信局のプロトコル内に容易に実装することができる。また、無線通信局が、１又は２以上のコンピュータプロセッサ装置（例えば、ＣＰＵ、マイクロプロセッサ、マイクロコントローラ、コンピュータ対応ＡＳＩＣなど）、及び命令を記憶する関連するメモリ（例えば、ＲＡＭ、ＤＲＡＭ、ＮＶＲＡＭ、ＦＬＡＳＨ、コンピュータ可読媒体など）を含むように実装されることにより、メモリに記憶されたプログラム（命令）がプロセッサ上で実行されて、本明細書で説明した様々なプロセス法のステップを実行することが好ましいと理解されたい。
【０１４６】
当業者は、無線通信局の制御に関連するステップを実行するコンピュータ装置の使用を認識しているため、簡略化のために全ての図にコンピュータ装置及びメモリ装置を示しているわけではない。提示した技術は、メモリ及びコンピュータ可読媒体が非一時的であり、従って一時的電子信号を構成しない限り、これらに関して限定するものではない。
【０１４７】
本明細書では、コンピュータプログラム製品としても実装できる、本技術の実施形態による方法及びシステム、及び／又は手順、アルゴリズム、ステップ、演算、数式又はその他の計算表現のフローチャートを参照して本技術の実施形態を説明することができる。この点、フローチャートの各ブロック又はステップ、及びフローチャートのブロック（及び／又はステップ）の組み合わせ、並びにあらゆる手順、アルゴリズム、ステップ、演算、数式、又は計算表現は、ハードウェア、ファームウェア、及び／又はコンピュータ可読プログラムコードの形で具体化された１又は２以上のコンピュータプログラム命令を含むソフトウェアなどの様々な手段によって実装することができる。理解されるように、このようなあらゆるコンピュータプログラム命令は、以下に限定されるわけではないが、汎用コンピュータ又は専用コンピュータ、又は機械を生産するための他のあらゆるプログラマブル処理装置を含む１又は２以上のコンピュータプロセッサ上によって実行して、コンピュータプロセッサ又は他のプログラマブル処理装置上で実行されるコンピュータプログラム命令が、（単複の）特定される機能を実施するための手段を生み出すようにすることができる。
【０１４８】
従って、本明細書で説明したフローチャートのブロック、並びに手順、アルゴリズム、ステップ、演算、数式、又は計算表現は、（単複の）特定の機能を実行する手段の組み合わせ、（単複の）特定の機能を実行するステップの組み合わせ、及びコンピュータ可読プログラムコード論理手段の形で具体化されるような、（単複の）特定の機能を実行するコンピュータプログラム命令をサポートする。また、本明細書で説明したフローチャートの各ブロック、並びに手順、アルゴリズム、ステップ、演算、数式、又は計算表現、及びこれらの組み合わせは、（単複の）特定の機能又はステップを実行する専用ハードウェアベースのコンピュータシステム、又は専用ハードウェアとコンピュータ可読プログラムコードとの組み合わせによって実装することもできると理解されるであろう。
【０１４９】
さらに、コンピュータ可読プログラムコードなどの形で具体化されるこれらのコンピュータプログラム命令を、コンピュータプロセッサ又は他のプログラマブル処理装置に特定の態様で機能するように指示することができる１又は２以上のコンピュータ可読メモリ又はメモリ装置に記憶して、これらのコンピュータ可読メモリ又はメモリ装置に記憶された命令が、（単複の）フローチャートの（単複の）ブロック内に指定される機能を実施する命令手段を含む製造の物品を生産するようにすることもできる。コンピュータプログラム命令をコンピュータプロセッサ又は他のプログラマブル処理装置によって実行し、コンピュータプロセッサ又は他のプログラマブル処理装置上で一連の動作ステップが実行されるようにしてコンピュータで実施される処理を生成し、コンピュータプロセッサ又は他のプログラマブル処理装置上で実行される命令が、（単複の）フローチャートの（単複の）ブロック、（単複の）手順、（単複の）アルゴリズム、（単複の）ステップ、（単複の）演算、（単複の）数式、又は（単複の）計算表現に特定される機能を実施するためのステップを提供するようにすることもできる。
【０１５０】
さらに、本明細書で使用する「プログラム」又は「プログラム実行文」という用語は、本明細書で説明した１又は２以上の機能を実行するために１又は２以上のコンピュータプロセッサが実行できる１又は２以上の命令を意味すると理解されるであろう。命令は、ソフトウェア、ファームウェア、又はソフトウェアとファームウェアとの組み合わせで具体化することができる。命令は、装置の非一時的媒体に局所的に記憶することも、又はサーバなどに遠隔的に記憶することもでき、或いは命令の全部又は一部を局所的に又は遠隔的に記憶することもできる。遠隔的に記憶された命令は、ユーザが開始することによって、或いは１又は２以上の要因に基づいて自動的に装置にダウンロード（プッシュ）することができる。
【０１５１】
さらに、本明細書で使用するプロセッサ、ハードウェアプロセッサ、コンピュータプロセッサ、中央処理装置（ＣＰＵ）及びコンピュータという用語は、命令、並びに入力／出力インターフェイス及び／又は周辺装置との通信を実行できる装置を示すために同義的に使用されるものであり、プロセッサ、ハードウェアプロセッサ、コンピュータプロセッサ、ＣＰＵ及びコンピュータという用語は、単一の又は複数の装置、シングルコア装置及びマルチコア装置、及びこれらの変種を含むように意図するものであると理解されるであろう。
【０１５２】
本明細書の説明から、本開示は、限定ではないが以下の内容を含む複数の実施形態を含むことができると理解されるであろう。
【０１５３】
１．ネットワークにおける無線通信装置であって、（ａ）指向性通信を使用して少なくとも１つの他の無線通信回路と無線で通信するように構成された無線通信回路と、（ｂ）無線ネットワーク上で動作するように構成された局内の、前記無線通信回路に結合されたプロセッサと、（ｃ）前記プロセッサが実行できる命令を記憶した非一時的メモリと、を備え、（ｄ）前記命令は、前記プロセッサによって実行された時に、（ｄ）（ｉ）前記指向性通信の各方向における時間及びリソースの割り当てを識別する時間及び方向割り当てをブロードキャストするステップを実行し、（ｄ）（ｉｉ）前記方向割り当ては、（Ａ）競合ベースのアクセス期間（ＣＢＡＰ）又は通常のサービス期間（ＳＰ）チャネルアクセスでのスケジューリング割り当て及びこの割り当ての送信ビーム方向、又は（Ｂ）時分割二重（ＴＤＤ）サービス期間（ＳＰ）チャネルアクセスのためのスロット構造及びスロットスケジュール情報、並びにこの割り当ての送信ビーム方向の通信、又は（Ｃ）送信又は受信アクティビティのアクティブな割り当てがスケジュールされた方向を含む方向情報要素の通信、としてブロードキャストされるネットワーク発見信号内で送信される、装置。
【０１５４】
２．ネットワークにおける無線通信装置であって、（ａ）指向性通信を使用して少なくとも１つの他の無線通信回路と無線で通信するように構成された無線通信回路と、（ｂ）無線ネットワーク上で動作するように構成された局内の、前記無線通信回路に結合されたプロセッサと、（ｃ）前記プロセッサが実行できる命令を記憶した非一時的メモリと、を備え、（ｄ）前記命令は、前記プロセッサによって実行された時に、（ｄ）（ｉ）前記指向性通信の各方向における時間及びリソースの割り当てを識別する時間及び方向割り当てをブロードキャストするステップを実行し、（ｄ）（ｉｉ）前記時間及び方向割り当ては、（Ａ）競合ベースのアクセス期間（ＣＢＡＰ）又は通常のサービス期間（ＳＰ）チャネルアクセスでのスケジューリング割り当て及びこの割り当ての送信ビーム方向、又は（Ｂ）時分割二重（ＴＤＤ）サービス期間（ＳＰ）チャネルアクセスのためのスロット構造及びスロットスケジュール情報、並びにこの割り当ての送信ビーム方向の通信、又は（Ｃ）送信又は受信アクティビティのアクティブな割り当てがスケジュールされた方向を含む方向情報要素の通信、としてブロードキャストされるネットワーク発見信号内で送信され、（ｄ）（ｉｉｉ）時間及び方向割り当ては、（Ａ）各方向の割り当てを記述する時分割二重（ＴＤＤ）サービス期間（ＳＰ）スロットスケジュール及び構造のリストを各方向に送信するステップと、（Ｂ）全ての時分割二重（ＴＤＤ）サービス期間（ＳＰ）スロットスケジュール及び構造要素を全方向にブロードキャストするステップと、（Ｃ）拡張指向性マルチギガビット（ＥＤＭＧ）スケジュール済み割り当て情報、並びに送信及び受信方向情報を全方向にブロードキャストするステップと、（Ｄ）方向情報要素を全方向にブロードキャストするステップと、から成る一群のブロードキャスト機構から選択される、装置。
【０１５５】
３．ネットワークにおける無線通信の実行方法であって、（ａ）指向性通信を使用して互いに無線で通信するように構成された無線通信回路、局間で無線で通信するステップと、（ｂ）（ｉ）競合ベースのアクセス期間（ＣＢＡＰ）又は通常のサービス期間（ＳＰ）チャネルアクセスでのスケジューリング割り当て及びこの割り当ての送信ビーム方向、又は（ｂ）（ｉｉ）時分割二重（ＴＤＤ）サービス期間（ＳＰ）チャネルアクセスのためのスロット構造及びスロットスケジュール情報、並びにこの割り当ての送信ビーム方向の通信、又は（ｂ）（ｉｉｉ）送信又は受信アクティビティのアクティブな割り当てがスケジュールされた方向を含む方向情報要素の通信、としてブロードキャストされるネットワーク発見信号内で送信される前記指向性通信の各方向の時間及びリソース割り当てを識別する時間及び方向割り当てをブロードキャストするステップと、を含む方法。
【０１５６】
４．前記命令は、前記プロセッサによって実行された時に、（ａ）各方向の割り当てを記述する時分割二重（ＴＤＤ）サービス期間（ＳＰ）スロットスケジュール及び構造のリストを各方向に送信するステップと、（ｂ）全ての時分割二重（ＴＤＤ）サービス期間（ＳＰ）スロットスケジュール及び構造要素を全方向にブロードキャストするステップと、（ｃ）拡張指向性マルチギガビット（ＥＤＭＧ）スケジュール済み割り当て情報、並びに送信及び受信方向情報を全方向にブロードキャストするステップと、（ｄ）方向情報要素を全方向にブロードキャストするステップと、から成る一群のブロードキャスト機構から選択された前記時間及び方向割り当てのブロードキャストを実行する、いずれかの先行する実施形態の装置又は方法。
【０１５７】
５．前記命令は、前記プロセッサによって実行された時に、時間及び方向割り当てを含むビーコン又はビームフォーミングフレームを前記局がその送信方向に送信するステップをさらに含み、前記ビーコン又はビームフォーミングフレームを受け取った局は、該ビーコン又はビームフォーミングフレームから前記ネットワークの送信の割り当て及び方向性に関する情報を取得することができる、いずれかの先行する実施形態の装置又は方法。
【０１５８】
６．前記命令は、前記プロセッサによって実行された時に、ビーコン又はビームフォーミングフレームの送信ビームＩＤを前記割り当ての送信ビームＩＤと比較して、前記割り当てが前記受信方向に存在するか否かを判定するステップをさらに含む、いずれかの先行する実施形態の装置又は方法。
【０１５９】
７．前記命令は、前記プロセッサによって実行された時に、その方向に干渉が発生していることを示すビーコン又はビームフォーミングフレームを受け取ったことに応答して受信機ビームフォーミングを実行するステップをさらに含む、いずれかの先行する実施形態の装置又は方法。
【０１６０】
８．前記受信機ビームフォーミングの実行は、使用された前記ビーコン又は前記ビームフォーミングフレームに添付されたさらなるトレーニングフィールドを利用することを含む、いずれかの先行する実施形態の装置又は方法。
【０１６１】
９．前記命令は、前記プロセッサによって実行された時に、感知されたチャネル使用が意図するアクセス方向以外の方向からのものである場合に、たとえクリアチャネル評価（ＣＣＡ）に合格しなかった場合でも前記局がチャネルアクセスを取得できるように、受信機ビームフォーミング情報を利用してチャネル使用方向を識別するステップをさらに含む、いずれかの先行する実施形態の装置又は方法。
【０１６２】
１０．前記無線通信回路は、指向性通信のために構成されたミリメートル波局を含む、いずれかの先行する実施形態の装置又は方法。
【０１６３】
１１．前記無線通信回路は、メッシュネットワーク及び非メッシュネットワークの両方で動作するように構成される、いずれかの先行する実施形態の装置又は方法。
【０１６４】
１２．前記無線通信回路は、第１の帯域では指向性通信を行い、第２の帯域では準全方向性通信を行うように構成される、いずれかの先行する実施形態の装置又は方法。
【０１６５】
本明細書で使用する単数形の「ａ、ａｎ（英文不定冠詞）」及び「ｔｈｅ（英文定冠詞）」は、文脈において別途明確に示されていない限り複数形の照応を含む。ある物体に対する単数形での言及は、明確にそう述べていない限り「唯一」を意味するものではなく、「１又は２以上」を意味する。
【０１６６】
本明細書で使用する「組（ｓｅｔ）」という用語は、１又は２以上の物体の集合を意味する。従って、例えば物体の組は、単一の物体又は複数の物体を含むことができる。
【０１６７】
本明細書で使用する「実質的に（ｓｕｂｓｔａｎｔｉａｌｌｙ）」及び「約（ａｂｏｕｔ）」という用語は、わずかな変動の記述及び説明のために使用するものである。これらの用語は、事象又は状況に関連して使用した時には、これらの事象又は状況が間違いなく発生する場合、及びこれらの事象又は状況が発生する可能性が非常に高い場合を意味することができる。これらの用語は、数値に関連して使用した時には、その数値の±５％以下、±４％以下、±３％以下、±２％以下、±１％以下、±０．５％以下、±０．１％以下、又は±０．０５％以下などの、±１０％以下の変動範囲を意味することができる。例えば、「実質的に」整列しているということは、±５°以下、±４°以下、±３°以下、±２°以下、±１°以下、±０．５°以下、±０．１°以下、又は±０．０５°以下などの、±１０°以下の角度変動範囲を意味することができる。
【０１６８】
また、本明細書では、量、比率及びその他の数値を範囲形式で示すこともある。このような範囲形式は、便宜的に簡略化して使用するものであり、範囲の限界として明確に指定された数値を含むが、この範囲に含まれる全ての個々の数値又は部分的範囲も、これらの各数値及び部分的範囲が明確に示されているかのように含むものであると柔軟に理解されたい。例えば、約１〜約２００の範囲内の比率は、約１及び約２００という明確に列挙した限界値を含むが、約２、約３、約４などの個々の比率、及び約１０〜約５０、約２０〜約１００などの部分的範囲も含むと理解されたい。
【０１６９】
本明細書の説明は多くの詳細を含んでいるが、これらは本開示の範囲を限定するものではなく、現在のところ好ましい実施形態の一部を例示するものにすぎないと解釈すべきである。従って、本開示の範囲は、当業者に明らかになると考えられる他の実施形態も完全に含むと理解されるであろう。
【０１７０】
当業者に周知の本開示の実施形態の要素の構造的、化学的及び機能的同等物も、引用によって本明細書に明確に組み入れられ、本特許請求の範囲に含まれるように意図される。さらに、本開示の要素、構成要素又は方法ステップは、これらが特許請求の範囲に明示されているかどうかにかかわらず、一般に公開されるように意図するものではない。本明細書における請求項の要素については、その要素が「〜のための手段」という表現を使用して明確に示されていない限り、「ミーンズプラスファンクション」の要素として解釈すべきではない。また、本明細書における請求項の要素については、その要素が「〜のためのステップ」という表現を使用して明確に示されていない限り、「ステッププラスファンクション」の要素として解釈すべきではない。
【符号の説明】
【０１７１】
１５０  全方向に情報を送信する実施形態例
１５２  ＳＴＡ１
１５３  ＳＴＡ１：セクタＩＤ５からビーコンを受信
１５４  ＳＴＡ２
１５５  ＳＴＡ２：セクタＩＤ８からビーコンを受信
１５６  ＳＴＡ３
１５７  ＳＴＡ３：セクタＩＤ１２からビーコンを受信
１５８  ＳＴＡ４
【図１】
2021532696.tif 000003
【図２】
2021532696.tif 000004
【図３】
2021532696.tif 000005
【図４】
2021532696.tif 000006
【図５】
2021532696.tif 000007
【図６】
2021532696.tif 000008
【図７】
2021532696.tif 000009
【図８】
2021532696.tif 000010
【図９Ａ】
2021532696.tif 000011
【図９Ｂ】
2021532696.tif 000012
【図１０】
2021532696.tif 000013
【図１１】
2021532696.tif 000014
【図１２】
2021532696.tif 000015
【図１３Ａ】
2021532696.tif 000016
【図１３Ｂ】
2021532696.tif 000017
【図１４】
2021532696.tif 000018
【図１５】
2021532696.tif 000019
【図１６】
2021532696.tif 000020
【図１７】
2021532696.tif 000021
【図１８】
2021532696.tif 000022
【図１９】
2021532696.tif 000023
【図２０】
2021532696.tif 000024
【図２１】
2021532696.tif 000025
【図２２】
2021532696.tif 000026
【図２３】
2021532696.tif 000027
【図２４Ａ】
2021532696.tif 000028
【図２４Ｂ】
2021532696.tif 000029
【図２５】
2021532696.tif 000030
【図２６Ａ】
2021532696.tif 000031
【図２６Ｂ】
2021532696.tif 000032
【図２７】
2021532696.tif 000033
【図２８】
2021532696.tif 000034
【図２９Ａ】
2021532696.tif 000035
【図２９Ｂ】
2021532696.tif 000036
【図２９Ｃ】
2021532696.tif 000037
【図３０Ａ】
2021532696.tif 000038
【図３０Ｂ】
2021532696.tif 000039
【図３０Ｃ】
2021532696.tif 000040
【図３０Ｄ】
2021532696.tif 000041
【国際調査報告】
2021532696.tif 000042
2021532696.tif 000043